(57)【要約】【課題】簡単なユーザ操作によって、コンテンツを提供するためのサービスに複数の端末を登録することができるネットワークシステムを提供する。【解決手段】通信機器３００は、第１の端末１００からユーザ情報とコンテンツを識別するためのコンテンツ情報と第１の端末を識別するための第１の端末情報とを受信し、接続中の第２の端末２００から第２の端末を識別するための第２の端末情報を受信するための第１の機器通信部３０３と、ユーザ情報とコンテンツ情報と第１および第２の端末情報と通信機器を識別するための機器情報とをコンテンツを提供するためのサーバ４００へ送信するための第２の機器通信部３０２とを備える。サーバ４００は、ユーザ情報とコンテンツ情報と第１および第２の端末情報と機器情報とを対応付けて記憶する。【選択図】図４
2011066501.tif 000002
【特許請求の範囲】
【請求項１】
第１および第２の端末と、通信機器と、コンテンツを提供するためのサーバとを備えるネットワークシステムであって、
前記第１の端末は、
前記コンテンツの選択命令を受け付けるための操作部と、
ユーザ情報と前記選択命令に対応する前記コンテンツを識別するためのコンテンツ情報と前記第１の端末を識別するための第１の端末情報とを前記通信機器に送信するための第１の端末通信部とを含み、
前記第２の端末は、前記第２の端末を識別するための第２の端末情報を前記通信機器に送信するための第２の端末通信部を含み、
前記通信機器は、
前記第１の端末から前記ユーザ情報と前記コンテンツ情報と前記第１の端末情報とを受信するとともに、接続可能な前記第２の端末から前記第２の端末情報を受信するための第１の機器通信部と、
前記ユーザ情報と前記コンテンツ情報と前記第１および第２の端末情報と前記通信機器を識別するための機器情報とを前記サーバへ送信するための第２の機器通信部とを含み、
前記サーバは、
前記通信機器から、前記ユーザ情報と前記コンテンツ情報と前記第１および第２の端末情報と前記機器情報とを受信するためのサーバ通信部と、
前記コンテンツを前記コンテンツ情報に対応付けて記憶するための記憶部とを含み、
前記記憶部は、前記通信機器からの前記ユーザ情報と前記コンテンツ情報と前記第１および第２の端末情報と前記機器情報とを対応付けて記憶する、ネットワークシステム。
【請求項２】
前記第１の端末は、
前記コンテンツ情報および前記第１の端末情報を含む第１の要求と前記ユーザ情報とを前記サーバに送信し、前記サーバから前記コンテンツを受信するための第３の端末通信部と、
前記コンテンツを再生するための第１のディスプレイとをさらに含み、
前記サーバ通信部は、前記第１の要求と前記ユーザ情報とに基づいて、前記記憶部を参照して、前記第１の要求に含まれる前記コンテンツ情報に対応する前記コンテンツを前記第１の端末へと送信する、請求項１に記載のネットワークシステム。
【請求項３】
前記第２の端末通信部は、前記コンテンツ情報および前記第２の端末情報を含む第２の要求と前記ユーザ情報とを前記通信機器を介して前記サーバに送信し、前記サーバから前記通信機器を介して前記コンテンツを受信し、
前記第２の端末は、前記コンテンツを再生するための第２のディスプレイをさらに含み、
前記サーバ通信部は、前記第２の要求と前記ユーザ情報とに基づいて、前記記憶部を参照して、前記第２の要求に含まれる前記コンテンツ情報に対応する前記コンテンツを前記通信機器を介して前記第２の端末へと送信する、請求項２に記載のネットワークシステム。
【請求項４】
前記第２の端末通信部は、前記コンテンツ情報および前記第２の端末情報を含む第２の要求を前記通信機器に送信し、
前記第１の機器通信部は、前記第１の端末へ前記ユーザ情報を問い合わせ、
前記第２の機器通信部は、前記第２の要求と前記第１の端末からの前記ユーザ情報とを前記サーバに送信し、前記サーバから前記コンテンツを受信し、
前記第１の機器通信部は、前記コンテンツを前記第２の端末へ送信し、
前記第２の端末は、前記コンテンツを再生するための第２のディスプレイをさらに含み
、
前記サーバ通信部は、前記第２の要求と前記ユーザ情報とに基づいて、前記記憶部を参照して、前記第２の要求に含まれる前記コンテンツ情報に対応する前記コンテンツを前記通信機器へと送信する、請求項２に記載のネットワークシステム。
【請求項５】
前記第１の端末情報は、前記第１の端末が再生可能なメディア形式を示す情報を含み、
前記第２の端末情報は、前記第２の端末が再生可能なメディア形式を示す情報を含み、
前記第２の機器通信部は、前記サーバから前記コンテンツ毎のメディア形式を受信し、
前記通信機器は、前記選択命令に対応する前記コンテンツのメディア形式と前記第１の端末情報とに基づいて前記第１の端末が前記コンテンツを再生可能か否かを判断し、前記選択命令に対応する前記コンテンツのメディア形式と前記第２の端末情報とに基づいて前記第２の端末が前記コンテンツを再生可能か否かを判断する制御部をさらに含み、
前記第１の機器通信部は、前記コンテンツを再生可能な前記端末のみに対応する前記端末情報を前記サーバへと送信する、請求項３または４に記載のネットワークシステム。
【請求項６】
第１および第２の端末と、通信機器と、コンテンツを提供するためのサーバとを備えるネットワークシステムにおける通信方法であって、
前記第１の端末が、前記コンテンツの選択命令を受け付けるステップと、
前記第１の端末が、第１の端末通信部を利用して、ユーザ情報と前記選択命令に対応する前記コンテンツを識別するためのコンテンツ情報と前記第１の端末を識別するための第１の端末情報とを前記通信機器に送信するステップと、
前記通信機器が、前記第１の端末から前記ユーザ情報と前記コンテンツ情報と前記第１の端末情報とを受信するステップと、
前記第２の端末が、第２の端末通信部を利用して、前記第２の端末を識別するための第２の端末情報を前記通信機器に送信するステップと、
前記通信機器が、前記第２の端末から前記第２の端末情報を受信するステップと、
前記通信機器が、前記ユーザ情報と前記コンテンツ情報と前記第１および第２の端末情報と前記通信機器を識別するための機器情報とを前記サーバへ送信するステップと、
前記サーバが、前記ユーザ情報と前記コンテンツ情報と前記第１および第２の端末情報と前記機器情報とを受信するステップと、
前記サーバが、前記ユーザ情報と前記コンテンツ情報と前記第１および第２の端末情報と前記機器情報とを対応付けて記憶するステップとを備える、通信方法。
【請求項７】
前記第１の端末が、前記コンテンツ情報および前記第１の端末情報を含む第１の要求と前記ユーザ情報とを前記サーバに送信するステップと、
前記サーバが、前記第１の要求と前記ユーザ情報とに基づいて、前記第１の端末へ前記第１の要求に含まれる前記コンテンツ情報に対応する前記コンテンツを送信するステップと、
前記第１の端末が、前記サーバから前記コンテンツを受信するステップと、
前記第１の端末が、前記コンテンツを再生するステップとさらに備える、請求項６に記載の通信方法。
【請求項８】
前記第２の端末が、前記コンテンツ情報および前記第２の端末情報を含む前記第２の要求と前記ユーザ情報とを前記通信機器を介して前記サーバに送信するステップと、
前記サーバが、前記第２の要求と前記ユーザ情報とに基づいて、前記第２の要求に含まれる前記コンテンツ情報に対応する前記コンテンツを前記通信機器を介して前記第２の端末へと送信するステップと、
前記第２の端末が、前記サーバから前記通信機器を介して前記コンテンツを受信するステップと、
前記第２の端末が、前記コンテンツを再生するステップとをさらに備える、請求項７に
記載の通信方法。
【請求項９】
前記第２の端末が、前記コンテンツ情報および前記第２の端末情報を含む前記第２の要求を前記通信機器に送信するステップと、
前記通信機器が、前記第１の端末へ前記ユーザ情報を問い合わせるステップと、
前記通信機器が、前記第２の要求と前記第１の端末からの前記ユーザ情報とを前記サーバに送信するステップと、
前記サーバが、前記第２の要求と前記ユーザ情報とに基づいて、前記第２の要求に含まれる前記コンテンツ情報に対応する前記コンテンツを前記通信機器へと送信するステップと、
前記通信機器が、前記サーバから受信した前記コンテンツを前記第２の端末へ送信するステップと、
前記第２の端末が、前記コンテンツを再生するステップとをさらに備える、請求項７に記載の通信方法。
【請求項１０】
前記第１の端末情報は、前記第１の端末が再生可能なメディア形式を示す情報を含み、
前記第２の端末情報は、前記第２の端末が再生可能なメディア形式を示す情報を含み、
前記通信機器が、前記サーバから前記コンテンツ毎のメディア形式を受信するステップと、
前記通信機器が、前記選択命令に対応する前記コンテンツのメディア形式と前記第１の端末情報とに基づいて、前記第１の端末が前記コンテンツを再生可能か否かを判断するステップと、
前記通信機器が、前記選択命令に対応する前記コンテンツのメディア形式と前記第２の端末情報とに基づいて、前記第２の端末が前記コンテンツを再生可能か否かを判断するステップとをさらに備え、
前記ユーザ情報と前記コンテンツ情報と前記第１および第２の端末情報とを前記サーバへ送信するステップは、前記コンテンツを再生可能な前記端末のみに対応する前記端末情報を前記サーバへ送信するステップを含む、請求項８または９に記載の通信方法。
【請求項１１】
第１および第２の端末と、コンテンツを提供するためのサーバと接続可能な通信機器であって、
前記第１の端末からユーザ情報と前記コンテンツを識別するためのコンテンツ情報と前記第１の端末を識別するための第１の端末情報とを受信し、接続中の前記第２の端末から前記第２の端末を識別するための第２の端末情報を受信するための第１の機器通信部と、
前記ユーザ情報と前記コンテンツ情報と前記第１および第２の端末情報と前記通信機器を識別するための機器情報とを前記サーバへ送信するための第２の機器通信部とを備える、通信機器。
【請求項１２】
前記第１の機器通信部は、前記第２の端末から前記コンテンツ情報および前記第２の端末情報を含む第２の要求と前記ユーザ情報とを受信し、
前記第２の機器通信部は、前記第２の要求と前記ユーザ情報とを前記サーバ装置へと送信し、前記サーバ装置から前記コンテンツを受信し、
前記第１の機器通信部は、前記コンテンツを前記第２の端末へ送信する、請求項１１に記載の通信機器。
【請求項１３】
前記第１の機器通信部は、前記第２の端末から前記コンテンツ情報および前記第２の端末情報を含む第２の要求を受信し、前記第１の端末へ前記ユーザ情報を問い合わせ、
前記第２の機器通信部は、前記第２の要求と前記第１の端末からの前記ユーザ情報とを前記サーバに送信し、前記サーバから前記コンテンツを受信し、
前記第１の機器通信部は、前記コンテンツを前記第２の端末へ送信する、請求項１１に
記載の通信機器。
【請求項１４】
前記第１の端末情報は、前記第１の端末が再生可能なメディア形式を示す情報を含み、
前記第２の端末情報は、前記第２の端末が再生可能なメディア形式を示す情報を含み、
前記第２の機器通信部は、前記サーバから前記コンテンツ毎のメディア形式を受信し、
前記選択命令に対応する前記コンテンツのメディア形式と前記第１の端末情報とに基づいて前記第１の端末が前記コンテンツを再生可能か否かを判断し、前記選択命令に対応する前記コンテンツのメディア形式と前記第２の端末情報とに基づいて前記第２の端末が前記コンテンツを再生可能か否かを判断する制御部をさらに備え、
前記第１の機器通信部は、前記コンテンツを再生可能な前記端末のみに対応する前記端末情報を前記サーバへ送信する、請求項１２または１３に記載の通信機器。
【請求項１５】
演算処理部と、第１および第２の端末と通信するための第１の機器通信部と、コンテンツを提供するためのサーバと通信するための第２の機器通信部とを含む通信機器における通信方法であって、
前記演算処理部が、前記第１の機器通信部を介して、前記第１の端末からユーザ情報と前記コンテンツを識別するための前記コンテンツ情報と前記第１の端末を識別するための第１の端末情報とを受信するステップと、
前記演算処理部が、前記第１の機器通信部を介して、前記第２の端末から前記第２の端末を識別するための第２の端末情報を受信するステップと、
前記演算処理部が、前記第２の機器通信部を介して、前記ユーザ情報と前記コンテンツ情報と前記第１および第２の端末情報と前記通信機器を識別するための機器情報とを前記サーバへ送信するステップとを備える、通信方法。
【請求項１６】
前記演算処理部が、前記第１の機器通信部を介して、前記第２の端末から前記コンテンツ情報および前記第２の端末情報を含む第２の要求と前記ユーザ情報とを受信するステップと、
前記演算処理部が、前記第２の機器通信部を介して、前記第２の要求と前記ユーザ情報とを前記サーバ装置へと送信するステップと、
前記演算処理部が、前記第２の機器通信部を介して、前記サーバ装置から前記コンテンツを受信するステップと、
前記演算処理部が、前記第１の機器通信部を介して、前記コンテンツを前記第２の端末へ送信するステップとをさらに備える、請求項１５に記載の通信方法。
【請求項１７】
前記演算処理部が、前記第１の機器通信部を介して、前記第２の端末から前記コンテンツ情報および前記第２の端末情報を含む第２の要求を受信するステップと、
前記演算処理部が、前記第１の機器通信部を介して、前記第１の端末へ前記ユーザ情報を問い合わせるステップと、
前記演算処理部が、前記第２の機器通信部を介して、前記第２の要求と前記第１の端末からの前記ユーザ情報とを前記サーバに送信するステップと、
前記演算処理部が、前記第２の機器通信部を介して、前記サーバから前記コンテンツを受信するステップと、
前記演算処理部が、前記第１の機器通信部を介して、前記コンテンツを前記第２の端末へ送信するステップとをさらに備える、請求項１５に記載の通信方法。
【請求項１８】
前記第１の端末情報は、前記第１の端末が再生可能なメディア形式を示す情報を含み、
前記第２の端末情報は、前記第２の端末が再生可能なメディア形式を示す情報を含み、
前記演算処理部が、前記第２の機器通信部を介して、前記サーバから前記コンテンツ毎のメディア形式を受信するステップと、
前記演算処理部が、前記選択命令に対応する前記コンテンツのメディア形式と前記第１
の端末情報とに基づいて、前記第１の端末が前記コンテンツを再生可能か否かを判断するステップと、
前記演算処理部が、前記選択命令に対応する前記コンテンツのメディア形式と前記第２の端末情報とに基づいて、前記第２の端末が前記コンテンツを再生可能か否かを判断するステップとをさらに備え、
前記ユーザ情報と前記コンテンツ情報と前記第１および第２の端末情報とを前記サーバへ送信するステップは、前記コンテンツを再生可能な前記端末のみに対応する前記端末情報を前記サーバへ送信するステップを含む、請求項１６または１７に記載の通信方法。
【請求項１９】
演算処理部と、第１および第２の端末と通信するための第１の機器通信部と、コンテンツを提供するためのサーバと通信するための第２の機器通信部とを含む通信機器に通信させるための通信プログラムであって、
前記第１の機器通信部を介して、前記第１の端末からユーザ情報と前記コンテンツを識別するためのコンテンツ情報と前記第１の端末を識別するための第１の端末情報とを受信するステップと、
前記第１の機器通信部を介して、前記第２の端末から前記第２の端末を識別するための第２の端末情報を受信するステップと、
前記第２の機器通信部を介して、前記ユーザ情報と前記コンテンツ情報と前記第１および第２の端末情報と前記通信機器を識別するための機器情報とを前記サーバへ送信するステップとを前記演算処理部に実行させる、通信プログラム。
【請求項２０】
前記第１の機器通信部を介して、前記第２の端末から前記コンテンツ情報および前記第２の端末情報を含む第２の要求と前記ユーザ情報とを受信するステップと、
前記第２の機器通信部を介して、前記第２の要求と前記ユーザ情報とを前記サーバ装置へと送信するステップと、
前記第２の機器通信部を介して、前記サーバ装置から前記コンテンツを受信するステップと、
前記第１の機器通信部を介して、前記コンテンツを前記第２の端末へ送信するステップとを前記演算処理部にさらに実行させる、請求項１９に記載の通信プログラム。
【請求項２１】
前記第１の機器通信部を介して、前記第２の端末から前記コンテンツ情報および前記第２の端末情報を含む第２の要求を受信するステップと、
前記第１の機器通信部を介して、前記第１の端末へ前記ユーザ情報を問い合わせるステップと、
前記第２の機器通信部を介して、前記第２の要求と前記第１の端末からの前記ユーザ情報とを前記サーバに送信するステップと、
前記第２の機器通信部を介して、前記サーバから前記コンテンツを受信するステップと、
前記第１の機器通信部を介して、前記コンテンツを前記第２の端末へ送信するステップとを前記演算処理部にさらに実行させる、請求項１９に記載の通信プログラム。
【請求項２２】
前記第１の端末情報は、前記第１の端末が再生可能なメディア形式を示す情報を含み、
前記第２の端末情報は、前記第２の端末が再生可能なメディア形式を示す情報を含み、
前記第２の機器通信部を介して、前記サーバから前記コンテンツ毎のメディア形式を受信するステップと、
前記選択命令に対応する前記コンテンツのメディア形式と前記第１の端末情報とに基づいて、前記第１の端末が前記コンテンツを再生可能か否かを判断するステップと、
前記選択命令に対応する前記コンテンツのメディア形式と前記第２の端末情報とに基づいて、前記第２の端末が前記コンテンツを再生可能か否かを判断するステップとをさらに前記演算処理部に実行させ、
前記ユーザ情報と前記コンテンツ情報と前記第１および第２の端末情報とを前記サーバへ送信するステップは、前記コンテンツを再生可能な前記端末のみに対応する前記端末情報を前記サーバへ送信するステップを含む、請求項２０または２１に記載の通信プログラム。
【発明の詳細な説明】
【技術分野】
【０００１】
本発明は、ネットワークを利用して端末にコンテンツを提供するためのネットワークシステム、通信方法、通信機器、および通信プログラムに関し、特に複数の端末で当該コンテンツを利用するためのネットワークシステム、通信方法、通信機器、および通信プログラムに関する。
【背景技術】
【０００２】
端末がサーバからコンテンツをダウンロードすることによって、当該端末のユーザが当該コンテンツを視聴することができるネットワークシステムが知られている。たとえば、映画などの動画ファイルや音楽などの音声ファイルを、有償あるいは無償で、販売したりレンタルしたりするサービスが知られている。
【０００３】
たとえば、特開２００４−３６２５４６号公報（特許文献１）には、１つのライセンスでホームネットワーク内の各デバイスがコンテンツを利用できるようにするシステムが開示されている。特開２００４−３６２５４６号公報（特許文献１）によると、システムは、各種の他のデバイスとの間でデータを送受信する送受信モジュールと、ライセンス発給要請を受け、当該正式ライセンスがライセンス格納モジュールに格納されているかを検索し、検索結果をライセンス要請モジュールと臨時ライセンス発給モジュールに伝達するライセンス検索モジュールと、前記ライセンスが存在しない場合、ライセンスサーバに当該ライセンスを発給することを要請するライセンス要請モジュールと、前記ライセンスサーバからダウンロードしたライセンスを格納するライセンス格納モジュールと、前記格納された正式ライセンスを用いて臨時ライセンスを当該ホームデバイスに発給する臨時ライセンス発給モジュールとを含む。
【０００４】
たとえば、特開２００８−００５２２１号公報（特許文献２）には、手軽にサービスを享受可能な映像表示システム、映像表示装置およびシステム制御方法が開示されている。特開２００８−００５２２１号公報（特許文献２）によると、通信端末装置は、サービスサーバが有するコンテンツのネットワークアドレスと、サービスサーバから発行されたユーザ識別情報とを映像表示装置へ送信し、映像表示装置は、ネットワークアドレスおよびユーザ識別情報を受信して、ユーザ識別情報を、ネットワークアドレスで特定されるコンテンツを有し、ユーザ識別情報を受信することで映像表示装置にコンテンツを送信するサービスサーバへ送信する。
【先行技術文献】
【特許文献】
【０００５】
【特許文献１】特開２００４−３６２５４６号公報
【特許文献２】特開２００８−００５２２１号公報
【発明の概要】
【発明が解決しようとする課題】
【０００６】
しかしながら、上記の特開２００４−３６２５４６号公報（特許文献１）に係る技術では、臨時ライセンスを発給したり管理したりするための管理装置が必要となる。あるいは、特開２００８−００５２２１号公報（特許文献２）に係る技術では、自らコンテンツ取得要求を発信した端末しかコンテンツの再生が行えない。すなわち、ユーザは端末毎にコンテンツを取得するための操作を行なう必要があった。
【０００７】
本発明は、かかる問題を解決するためになされたものであり、その目的は、簡単なユー
ザ操作によって、コンテンツを提供するためのサービスに複数の端末を登録することができるネットワークシステム、通信方法、通信機器、および通信プログラムを提供することである。
【課題を解決するための手段】
【０００８】
この発明のある局面に従うと、第１および第２の端末と、通信機器と、コンテンツを提供するためのサーバとを備えるネットワークシステムが提供される。第１の端末は、コンテンツの選択命令を受け付けるための操作部と、ユーザ情報と選択命令に対応するコンテンツを識別するためのコンテンツ情報と第１の端末を識別するための第１の端末情報とを通信機器に送信するための第１の端末通信部とを含む。第２の端末は、第２の端末を識別するための第２の端末情報を通信機器に送信するための第２の端末通信部を含む。通信機器は、第１の端末からユーザ情報とコンテンツ情報と第１の端末情報とを受信するとともに、接続可能な第２の端末から第２の端末情報を受信するための第１の機器通信部と、ユーザ情報とコンテンツ情報と第１および第２の端末情報と通信機器を識別するための機器情報とをサーバへ送信するための第２の機器通信部とを含む。サーバは、通信機器から、ユーザ情報とコンテンツ情報と第１および第２の端末情報と機器情報とを受信するためのサーバ通信部と、コンテンツをコンテンツ情報に対応付けて記憶するための記憶部とを含む。記憶部は、通信機器からのユーザ情報とコンテンツ情報と第１および第２の端末情報と機器情報とを対応付けて記憶する。
【０００９】
好ましくは、第１の端末は、コンテンツ情報および第１の端末情報を含む第１の要求とユーザ情報とをサーバに送信し、サーバからコンテンツを受信するための第３の端末通信部と、コンテンツを再生するための第１のディスプレイとをさらに含む。サーバ通信部は、第１の要求とユーザ情報とに基づいて、記憶部を参照して、第１の要求に含まれるコンテンツ情報に対応するコンテンツを第１の端末へと送信する。
【００１０】
好ましくは、第２の端末通信部は、コンテンツ情報および第２の端末情報を含む第２の要求とユーザ情報とを通信機器を介してサーバに送信し、サーバから通信機器を介してコンテンツを受信する。第２の端末は、コンテンツを再生するための第２のディスプレイをさらに含む。
【００１１】
好ましくは、サーバ通信部は、第２の要求とユーザ情報とに基づいて、記憶部を参照して、第２の要求に含まれるコンテンツ情報に対応するコンテンツを通信機器を介して第２の端末へと送信する。
【００１２】
好ましくは、第２の端末通信部は、コンテンツ情報および第２の端末情報を含む第２の要求を通信機器に送信する。第１の機器通信部は、第１の端末へユーザ情報を問い合わせる。第２の機器通信部は、第２の要求と第１の端末からのユーザ情報とをサーバに送信し、サーバからコンテンツを受信する。第１の機器通信部は、コンテンツを第２の端末へ送信する。第２の端末は、コンテンツを再生するための第２のディスプレイをさらに含む。サーバ通信部は、第２の要求とユーザ情報とに基づいて、記憶部を参照して、第２の要求に含まれるコンテンツ情報に対応するコンテンツを通信機器へと送信する。
【００１３】
好ましくは、第１の端末情報は、第１の端末が再生可能なメディア形式を示す情報を含む。第２の端末情報は、第２の端末が再生可能なメディア形式を示す情報を含む。第１の機器通信部は、サーバからコンテンツ毎のメディア形式を受信する。通信機器は、選択命令に対応するコンテンツのメディア形式と第１の端末情報とに基づいて第１の端末がコンテンツを再生可能か否かを判断し、選択命令に対応するコンテンツのメディア形式と第２の端末情報とに基づいて第２の端末がコンテンツを再生可能か否かを判断する制御部をさらに含む。第２の機器通信部は、コンテンツを再生可能な端末のみに対応する端末情報を
サーバへと送信する。
【００１４】
この発明の別の局面に従うと、第１および第２の端末と、通信機器と、コンテンツを提供するためのサーバとを備えるネットワークシステムにおける通信方法が提供される。通信方法は、第１の端末が、コンテンツの選択命令を受け付けるステップと、第１の端末が、第１の端末通信部を利用して、ユーザ情報と選択命令に対応するコンテンツを識別するためのコンテンツ情報と第１の端末を識別するための第１の端末情報とを通信機器に送信するステップと、通信機器が、第１の端末からユーザ情報とコンテンツ情報と第１の端末情報とを受信するステップと、第２の端末が、第２の端末通信部を利用して、第２の端末を識別するための第２の端末情報を通信機器に送信するステップと、通信機器が、第２の端末から第２の端末情報を受信するステップと、通信機器が、ユーザ情報とコンテンツ情報と第１および第２の端末情報と通信機器を識別するための機器情報とをサーバへ送信するステップと、サーバが、ユーザ情報とコンテンツ情報と第１および第２の端末情報と機器情報とを受信するステップと、サーバが、ユーザ情報とコンテンツ情報と第１および第２の端末情報と機器情報とを対応付けて記憶するステップとを備える。
【００１５】
好ましくは、通信方法は、第１の端末が、コンテンツ情報および第１の端末情報を含む第１の要求とユーザ情報とをサーバに送信するステップと、サーバが、第１の要求とユーザ情報とに基づいて、第１の端末へ第１の要求に含まれるコンテンツ情報に対応するコンテンツを送信するステップと、第１の端末が、サーバからコンテンツを受信するステップと、第１の端末が、コンテンツを再生するステップとさらに備える。
【００１６】
好ましくは、通信方法は、第２の端末が、コンテンツ情報および第２の端末情報を含む第２の要求とユーザ情報とを通信機器を介してサーバに送信するステップと、サーバが、第２の要求とユーザ情報とに基づいて、第２の要求に含まれるコンテンツ情報に対応するコンテンツを通信機器を介して第２の端末へと送信するステップと、第２の端末が、サーバから通信機器を介してコンテンツを受信するステップと、第２の端末が、コンテンツを再生するステップとをさらに備える。
【００１７】
好ましくは、通信方法は、第２の端末が、コンテンツ情報および第２の端末情報を含む第２の要求を通信機器に送信するステップと、通信機器が、第１の端末へユーザ情報を問い合わせるステップと、通信機器が、第２の要求と第１の端末からのユーザ情報とをサーバに送信するステップと、サーバが、第２の要求とユーザ情報とに基づいて、第２の要求に含まれるコンテンツ情報に対応するコンテンツを通信機器へと送信するステップと、通信機器が、サーバから受信したコンテンツを第２の端末へ送信するステップと、第２の端末が、コンテンツを再生するステップとをさらに備える。
【００１８】
好ましくは、第１の端末情報は、第１の端末が再生可能なメディア形式を示す情報を含む。第２の端末情報は、第２の端末が再生可能なメディア形式を示す情報を含む。通信方法は、通信機器が、サーバからコンテンツ毎のメディア形式を受信するステップと、通信機器が、選択命令に対応するコンテンツのメディア形式と第１の端末情報とに基づいて、第１の端末がコンテンツを再生可能か否かを判断するステップと、通信機器が、選択命令に対応するコンテンツのメディア形式と第２の端末情報とに基づいて、第２の端末がコンテンツを再生可能か否かを判断するステップとをさらに備える。ユーザ情報とコンテンツ情報と第１および第２の端末情報とをサーバへ送信するステップは、コンテンツを再生可能な端末のみに対応する端末情報をサーバへ送信するステップを含む。
【００１９】
この発明の別の局面に従うと、第１および第２の端末と、コンテンツを提供するためのサーバと接続可能な通信機器が提供される。通信機器は、第１の端末からユーザ情報とコンテンツを識別するためのコンテンツ情報と第１の端末を識別するための第１の端末情報
とを受信し、接続中の第２の端末から第２の端末を識別するための第２の端末情報を受信するための第１の機器通信部と、ユーザ情報とコンテンツ情報と第１および第２の端末情報と通信機器を識別するための機器情報とをサーバへ送信するための第２の機器通信部とを備える。
【００２０】
好ましくは、第１の機器通信部は、第２の端末からコンテンツ情報および第２の端末情報を含む第２の要求とユーザ情報とを受信する。第２の機器通信部は、第２の要求とユーザ情報とをサーバ装置へと送信し、サーバ装置からコンテンツを受信する。第１の機器通信部は、コンテンツを第２の端末へ送信する。
【００２１】
好ましくは、第１の機器通信部は、第２の端末からコンテンツ情報および第２の端末情報を含む第２の要求を受信し、第１の端末へユーザ情報を問い合わせる。第２の機器通信部は、第２の要求と第１の端末からのユーザ情報とをサーバに送信し、サーバからコンテンツを受信する。第１の機器通信部は、コンテンツを第２の端末へ送信する。
【００２２】
好ましくは、第１の端末情報は、第１の端末が再生可能なメディア形式を示す情報を含む。第２の端末情報は、第２の端末が再生可能なメディア形式を示す情報を含む。第１の機器通信部は、サーバからコンテンツ毎のメディア形式を受信する。通信機器は、選択命令に対応するコンテンツのメディア形式と第１の端末情報とに基づいて第１の端末がコンテンツを再生可能か否かを判断し、選択命令に対応するコンテンツのメディア形式と第２の端末情報とに基づいて第２の端末がコンテンツを再生可能か否かを判断する制御部をさらに備える。第２の機器通信部は、コンテンツを再生可能な端末のみに対応する端末情報をサーバへ送信する。
【００２３】
この発明の別の局面に従うと、演算処理部と、第１および第２の端末と通信するための第１の機器通信部と、コンテンツを提供するためのサーバと通信するための第２の機器通信部とを含む通信機器における通信方法が提供される。通信方法は、演算処理部が、第１の機器通信部を介して、第１の端末からユーザ情報とコンテンツを識別するためのコンテンツ情報と第１の端末を識別するための第１の端末情報とを受信するステップと、演算処理部が、第１の機器通信部を介して、第２の端末から第２の端末を識別するための第２の端末情報を受信するステップと、演算処理部が、第２の機器通信部を介して、ユーザ情報とコンテンツ情報と第１および第２の端末情報と通信機器を識別するための機器情報とをサーバへ送信するステップとを備える。
【００２４】
好ましくは、通信方法は、演算処理部が、第１の機器通信部を介して、第２の端末からコンテンツ情報および第２の端末情報を含む第２の要求とユーザ情報とを受信するステップと、演算処理部が、第２の機器通信部を介して、第２の要求とユーザ情報とをサーバ装置へと送信するステップと、演算処理部が、第２の機器通信部を介して、サーバ装置からコンテンツを受信するステップと、演算処理部が、第１の機器通信部を介して、コンテンツを第２の端末へ送信するステップとをさらに備える。
【００２５】
好ましくは、通信方法は、演算処理部が、第１の機器通信部を介して、第２の端末からコンテンツ情報および第２の端末情報を含む第２の要求を受信するステップと、演算処理部が、第１の機器通信部を介して、第１の端末へユーザ情報を問い合わせるステップと、演算処理部が、第２の機器通信部を介して、第２の要求と第１の端末からのユーザ情報とをサーバに送信するステップと、演算処理部が、第２の機器通信部を介して、サーバからコンテンツを受信するステップと、演算処理部が、第１の機器通信部を介して、コンテンツを第２の端末へ送信するステップとをさらに備える。
【００２６】
好ましくは、第１の端末情報は、第１の端末が再生可能なメディア形式を示す情報を含
む。第２の端末情報は、第２の端末が再生可能なメディア形式を示す情報を含む。通信方法は、演算処理部が、第２の機器通信部を介して、サーバからコンテンツ毎のメディア形式を受信するステップと、演算処理部が、選択命令に対応するコンテンツのメディア形式と第１の端末情報とに基づいて、第１の端末がコンテンツを再生可能か否かを判断するステップと、演算処理部が、選択命令に対応するコンテンツのメディア形式と第２の端末情報とに基づいて、第２の端末がコンテンツを再生可能か否かを判断するステップとをさらに備える。ユーザ情報とコンテンツ情報と第１および第２の端末情報とをサーバへ送信するステップは、コンテンツを再生可能な端末のみに対応する端末情報をサーバへ送信するステップを含む。
【００２７】
この発明の別の局面に従うと、演算処理部と、第１および第２の端末と通信するための第１の機器通信部と、コンテンツを提供するためのサーバと通信するための第２の機器通信部とを含む通信機器に通信させるための通信プログラムが提供される。通信プログラムは、第１の機器通信部を介して、第１の端末からユーザ情報とコンテンツを識別するためのコンテンツ情報と第１の端末を識別するための第１の端末情報とを受信するステップと、第１の機器通信部を介して、第２の端末から第２の端末を識別するための第２の端末情報を受信するステップと、第２の機器通信部を介して、ユーザ情報とコンテンツ情報と第１および第２の端末情報と通信機器を識別するための機器情報とをサーバへ送信するステップとを演算処理部に実行させる。
【００２８】
好ましくは、通信プログラムは、第１の機器通信部を介して、第２の端末からコンテンツ情報および第２の端末情報を含む第２の要求とユーザ情報とを受信するステップと、第２の機器通信部を介して、第２の要求とユーザ情報とをサーバ装置へと送信するステップと、第２の機器通信部を介して、サーバ装置からコンテンツを受信するステップと、第１の機器通信部を介して、コンテンツを第２の端末へ送信するステップとを演算処理部にさらに実行させる。
【００２９】
好ましくは、通信プログラムは、第１の機器通信部を介して、第２の端末からコンテンツ情報および第２の端末情報を含む第２の要求を受信するステップと、第１の機器通信部を介して、第１の端末へユーザ情報を問い合わせるステップと、第２の機器通信部を介して、第２の要求と第１の端末からのユーザ情報とをサーバに送信するステップと、第２の機器通信部を介して、サーバからコンテンツを受信するステップと、第１の機器通信部を介して、コンテンツを第２の端末へ送信するステップとを演算処理部にさらに実行させる。
【００３０】
好ましくは、第１の端末情報は、第１の端末が再生可能なメディア形式を示す情報を含む。第２の端末情報は、第２の端末が再生可能なメディア形式を示す情報を含む。通信プログラムは、第２の機器通信部を介して、サーバからコンテンツ毎のメディア形式を受信するステップと、選択命令に対応するコンテンツのメディア形式と第１の端末情報とに基づいて、第１の端末がコンテンツを再生可能か否かを判断するステップと、選択命令に対応するコンテンツのメディア形式と第２の端末情報とに基づいて、第２の端末がコンテンツを再生可能か否かを判断するステップとをさらに演算処理部に実行させる。ユーザ情報とコンテンツ情報と第１および第２の端末情報とをサーバへ送信するステップは、コンテンツを再生可能な端末のみに対応する端末情報をサーバへ送信するステップを含む。
【発明の効果】
【００３１】
以上のように、本発明によって、簡単なユーザ操作によって、コンテンツを提供するためのサービスに複数の端末を登録することが可能になる。
【図面の簡単な説明】
【００３２】
【図１】本実施の形態に係るネットワークシステム１の全体構成を示すイメージ図である。
【図２】本実施の形態に係る携帯電話の構成を示すブロック図である。
【図３】本実施の形態に係る電子手帳の構成を示すブロック図である。
【図４】本実施の形態に係る液晶テレビの構成を示すブロック図である。
【図５】本実施の形態に係るコンテンツサーバの構成を示すブロック図である。
【図６Ａ】本実施の形態に係るネットワークシステムにおけるコンテンツ購入処理の処理手順を示す第１のシーケンス図である。
【図６Ｂ】本実施の形態に係るネットワークシステムにおけるコンテンツ購入処理の処理手順を示す第２のシーケンス図である。
【図７】本実施の形態に係るログイン要求時におけるディスプレイを示すイメージ図である。
【図８】本実施の形態に係るユーザ情報のデータ構造を示すイメージ図である。
【図９】本実施の形態に係るログイン結果情報のデータ構造を示すイメージ図である。
【図１０】本実施の形態に係るコンテンツ情報のデータ構造を示すイメージ図である。
【図１１】本実施の形態に係るユーザが購入を希望するコンテンツを選択する際におけるディスプレイを示すイメージ図である。
【図１２】本実施の形態に係るコンテンツ購入依頼情報のデータ構造を示すイメージ図である。
【図１３】本実施の形態に係る端末情報のデータ構造を示すイメージ図である。
【図１４】本実施の形態に係る端末情報群（端末リスト）のデータ構造を示すイメージ図である。
【図１５】本実施の形態に係るユーザがコンテンツを再生するための端末を選択する際におけるディスプレイを示すイメージ図である。
【図１６】本実施の形態に係るコンテンツ購入要求情報のデータ構造を示すイメージ図である。
【図１７】本実施の形態に係る購入成功通知あるいは購入失敗通知のデータ構造を示すイメージ図である。
【図１８】本実施の形態に係るコンテンツの購入が完了した際におけるディスプレイを示すイメージ図である。
【図１９】本実施の形態に係るネットワークシステムにおけるＴＶ接続処理の処理手順を示すシーケンス図である。
【図２０】本実施の形態に係るネットワークシステムにおける第１のコンテンツ再生処理の処理手順を示すシーケンス図である。
【図２１】本実施の形態に係るユーザからコンテンツを視聴するための命令を受け付ける際におけるディスプレイを示すイメージ図である。
【図２２】本実施の形態に係るコンテンツリストのデータ構造を示すイメージ図である。
【図２３】本実施の形態に係るユーザからコンテンツ再生命令を受け付ける際におけるディスプレイを示すイメージ図である。
【図２４】本実施の形態に係る第１のコンテンツ要求情報のデータ構造を示すイメージ図である。
【図２５】本実施の形態に係るコンテンツが再生される際におけるディスプレイを示すイメージ図である。
【図２６】本実施の形態に係るネットワークシステムにおける第２のコンテンツ再生処理の処理手順を示すシーケンス図である。
【図２７Ａ】本実施の形態に係るネットワークシステムにおける第３のコンテンツ再生処理の処理手順を示す第１のシーケンス図である。
【図２７Ｂ】本実施の形態に係るネットワークシステムにおける第３のコンテンツ再生処理の処理手順を示す第２のシーケンス図である。
【図２８】本実施の形態に係るユーザ情報を有さない端末（電子手帳）から送信される第２のコンテンツ要求情報のデータ構造を示すイメージ図である。
【発明を実施するための形態】
【００３３】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００３４】
以下では、「コンテンツ」は、映像、音声、画像、テキスト、およびそれらを出力するためのデジタルデータを含む。また、コンテンツの一部あるいは全部が、テレビ放送、インターネット放送、携帯電話網などのネットワークを介して提供されてもよい。また、コンテンツが、複数のサーバやネットワークから提供されてもよい。
【００３５】
＜ネットワークシステム１の全体構成＞
まず、図１を参照して、本実施の形態に係るネットワークシステム１の全体構成について説明する。図１は、本実施の形態に係るネットワークシステム１の全体構成を示すイメージ図である。
【００３６】
本実施の形態に係るネットワークシステム１は、携帯電話（第１の端末）１００、電子手帳（第２の端末）２００、液晶テレビ（通信機器）３００、コンテンツサーバ（サーバ）４００とを含む。なお、コンテンツサーバ４００は、複数のサーバ、たとえば、課金サーバ、決済サーバ、コンテンツデータを提供するためのサーバなどを含んでもよい。
【００３７】
液晶テレビ３００は、コンテンツを出力する。たとえば、液晶テレビ３００は、ディスプレイから動画像あるいは静止画像を出力し、スピーカから音声を出力する。液晶テレビ３００は、たとえば、プラズマテレビであってもよい。
【００３８】
液晶テレビ３００は、コンテンツを当該液晶テレビ３００に送信するレコーダ５００に接続されても良いし、当該レコーダ５００を内蔵してもよい。レコーダ５００としては、たとえば、ＳＴＢ（Set  Top  Box）、ＨＤＤレコーダ、ＤＶＤ（Digital  Versatile  Disc）レコーダ、ＢＤ（Blu-ray  Disc）レコーダなどが挙げられる。
【００３９】
液晶テレビ３００は、インターネット網６００などの第１のネットワークを介してコンテンツサーバ４００に接続可能である。液晶テレビ３００は、コンテンツサーバ４００からコンテンツの購入に必要な情報を含むＷｅｂページをダウンロードしたり、商品としてのコンテンツをダウンロードしたりする。
【００４０】
携帯電話１００は、無線によって、キャリア網やインターネット網６００などを介してコンテンツサーバ４００とデータ通信可能である。携帯電話１００は、他の無線通信方法、たとえば、Bluetooth（登録商標）や赤外線通信を利用して、液晶テレビ３００や電子手帳２００とデータ通信可能である。本実施の形態においては、説明のために、第１の端末としての携帯電話１００は、キャリア網やインターネット網６００などを介してコンテンツサーバ４００とデータ通信可能である。ただし、第１の端末は、ＰＤＡ（Personal  Digital  Assistance）、ノート型パーソナルコンピュータ、電子辞書、スマートフォンなどのような、ユーザが持ち運ぶことができる情報通信端末であってもよい。
【００４１】
電子手帳２００は、たとえば、Bluetooth（登録商標）や赤外線通信を利用して、液晶テレビ３００や電子手帳２００とデータ通信可能である。本実施の形態においては、説明
のために、第２の端末としての電子手帳２００は、直接キャリア網やインターネット網６００などにアクセスすることはできない。ただし、第２の端末は、ＰＤＡ（Personal  Digital  Assistance）、ノート型パーソナルコンピュータ、電子辞書、スマートフォンなどのような、ユーザが持ち運ぶことができる情報通信端末であってもよい。
【００４２】
このように、携帯電話１００や電子手帳２００は、Bluetooth（登録商標）や赤外線通信を利用して、液晶テレビ３００にチャンネルの切り換え命令を送信したり、コンテンツの選択命令を送信したり、ユーザＩＤやパスワードなどのユーザ情報を送信したりする。
【００４３】
コンテンツサーバ４００は、インターネット網６００を介して、コンテンツ自体およびコンテンツに関連する情報などを液晶テレビ３００や携帯電話１００に提供するサーバである。上述したように、コンテンツは、たとえば、静止画像データ、動画像データ、音楽データなどである。コンテンツが、たとえば、動画像データである場合、コンテンツに関連する情報とは、たとえば、番組情報、コンテンツの価格、コンテンツのデータ量などである。なお、コンテンツサーバ４００は、ワークステーションやパーソナルコンピュータであってもよい。
【００４４】
また、コンテンツサーバ４００は、コンテンツや他の商品を販売するためのＷｅｂページ情報を記憶する。コンテンツサーバ４００は、液晶テレビ３００や携帯電話１００からの要求に応じて、液晶テレビ３００や携帯電話１００のユーザが所望する商品の販売サイトのＷｅｂページを液晶テレビ３００や携帯電話１００へと送信する。
【００４５】
コンテンツサーバ４００は、インターネット網６００を介して、液晶テレビ３００あるいは携帯電話１００との間で課金処理を行なう。たとえば、コンテンツサーバ４００は、携帯電話１００から、ユーザＩＤやクレジットカード番号などのユーザ情報、価格などのコンテンツに関する情報を受信して、当該クレジットカード番号を使って商品の価格に見合う金額を引き落としたりする。クレジットカードによる決済以外にも、例えば、携帯電話通信事業者における通話料に対する課金・決済や、携帯電話に搭載されている電子マネー機能による決済であってもよい。また、先払い、後払いのいずれの形態であってもよい。
【００４６】
＜ネットワークシステム１の動作概要＞
次に、図１を参照して、本実施の形態に係るネットワークシステム１の動作概要について説明する。以下では、ユーザが、液晶テレビ３００と携帯電話１００とを利用してコンテンツに関する情報を閲覧し、携帯電話１００を利用してユーザ認証を行なうことによって当該コンテンツを購入する場合について説明する。以下では、説明のために、「コンテンツを購入する」とは、対価を支払うことによって、所定期間サーバからコンテンツをダウンロード可能にすることをいう。
【００４７】
まず、設定段階の動作概要について説明する。携帯電話１００は、ユーザを認証するための認証情報を記憶する。携帯電話１００は、携帯電話１００のユーザ（たとえば所有者）のユーザＩＤ、パスワード、指紋画像、サイン画像などをユーザ情報として登録する。
【００４８】
携帯電話１００は、自身を液晶テレビ３００に登録する。このとき、携帯電話１００と液晶テレビ３００とは、Bluetooth（登録商標）を利用してペアリングを行なう。液晶テレビ３００は、携帯電話１００をBluetooth（登録商標）の相手として登録する。すなわち、液晶テレビ３００は、携帯電話１００を識別するための端末情報を記憶する。
【００４９】
携帯電話１００あるいは液晶テレビ３００は、キャリア網あるいはインターネット網６００を介して、ユーザ情報をコンテンツサーバ４００が提供するサービスにユーザ登録す
る。コンテンツサーバ４００は、ユーザを識別するためのユーザ情報をサービスに対応付けて記憶することによって、ユーザを当該サービスに登録する。
【００５０】
次に、コンテンツの購入段階の動作概要について説明する。携帯電話１００や液晶テレビ３００のユーザは、液晶テレビ３００を介してコンテンツサーバ４００からコンテンツ情報を受信する。携帯電話１００や液晶テレビ３００のユーザは、携帯電話１００や液晶テレビ３００のディスプレイを閲覧しながらコンテンツを選択することによって、選択されたコンテンツを購入する。
【００５１】
特に、本実施の形態に係る液晶テレビ３００は、コンテンツ購入時に液晶テレビ３００に接続可能な端末を探索し、当該端末を識別するための端末情報をコンテンツサーバ４００に送信する。これによって、コンテンツサーバ４００では、コンテンツの販売時に、液晶テレビ３００に接続可能な複数の端末を、コンテンツを利用可能な端末として登録することができる。
【００５２】
次に、コンテンツの再生段階の動作概要について説明する。携帯電話１００、液晶テレビ３００は、直接的にインターネット網６００を介してコンテンツサーバ４００から購入済みのコンテンツを受信して、コンテンツを再生する。より詳細には、携帯電話１００あるいは液晶テレビ３００は、購入時に登録されたユーザ情報と自身の端末情報とをコンテンツサーバ４００に送信することによって、コンテンツサーバ４００からコンテンツをダウンロードする。すなわち、購入時に登録された携帯電話１００および液晶テレビ３００は、予め定められた期間、コンテンツサーバ４００からコンテンツをダウンロードし、当該コンテンツを再生することができる。逆に、コンテンツサーバ４００は、購入時に登録された端末情報に対応する端末からの要求に応じて、予め定められた期間、当該端末へとコンテンツを送信する。
【００５３】
一方、電子手帳２００は、液晶テレビ３００とインターネット網６００とを介してコンテンツサーバ４００から購入済みのコンテンツを受信して、コンテンツを再生する。より詳細には、電子手帳２００は、購入時に登録されたユーザ情報と自身の端末情報とを液晶テレビ３００を介してコンテンツサーバ４００に送信することによって、コンテンツサーバ４００からコンテンツをダウンロードする。
【００５４】
なお、電子手帳２００がユーザ情報を保持していない場合、電子手帳２００は、液晶テレビ３００を経由して携帯電話１００にユーザ情報を問い合わせる。あるいは、電子手帳２００は、液晶テレビ３００に登録されているユーザ情報を利用してコンテンツサーバ４００からコンテンツをダウンロードする。
【００５５】
このように、本実施の形態に係るネットワークシステム１では、コンテンツの購入者である携帯電話１００のユーザが、簡単な操作によって、あるいは携帯電話１００への操作によって、コンテンツの購入時に液晶テレビ３００に接続可能な複数の端末（端末情報）を、コンテンツを利用可能な端末としてコンテンツサーバ４００に登録することができる。一方、コンテンツを提供するためのコンテンツサーバ４００（サービス業者）も、コンテンツの販売後にコンテンツを利用する端末（端末情報）を追加する（増加させる）といった機能を提供することなく、コンテンツの販売時にコンテンツを利用する複数の端末（端末情報）を登録することができる。
【００５６】
以下、このような機能を実現するための構成について詳述する。
＜携帯電話１００の構成＞
まず、図２を参照して、ネットワークシステム１に含まれる携帯電話１００の構成について説明する。図２は、本実施の形態に係る携帯電話１００の構成を示すブロック図であ
る。
【００５７】
携帯電話１００は、主たる構成要素として、ＣＰＵ１０１と、電話通信インターフェイス１０２と、無線通信インターフェイス１０３と、ディスプレイ１０４と、操作部１０５と、揮発メモリ１０６と、不揮発メモリ１０７と、スピーカ１０８と、マイク１０９と、メモリインターフェイス１１０とを含む。なお、外部メモリ１１１は、携帯電話１００に着脱自在な不揮発性の記録媒体である。
【００５８】
まず、ＣＰＵ１０１は、不揮発メモリ１０７あるいは外部メモリ１１１に記憶されているプログラムを、揮発メモリ１０６に読み出す。ＣＰＵ１０１は、揮発メモリ１０６上のプログラムを順次実行することによって、携帯電話１００の各部を制御する。より詳細には、ＣＰＵ１０１は、当該プログラムを実行することによって、後述する携帯電話１００の処理（ステップ）の各々を実現する。
【００５９】
ＣＰＵ１０１は、マイクロプロセッサ（Microprocessor）、ＦＰＧＡ（Field  Programmable  Gate  Array）、ＡＳＩＣ（Application  Specific  Integrated  Circuit）、ＤＳＰ（Digital  Signal  Processor）およびその他の演算機能を有する回路のいずれであってもよい。
【００６０】
ＣＰＵ１０１は、電話通信インターフェイス１０２を利用することによって、キャリヤ網やインターネット網６００を介して、コンテンツサーバ４００などの他の装置との間でデータ通信を行なう。すなわち、本実施の形態に係る携帯電話１００は、液晶テレビ３００を介すことなく、コンテンツサーバ４００とデータを送受信することが可能である。
【００６１】
また、ＣＰＵ１０１は、無線通信インターフェイス１０３を利用することによって、液晶テレビ３００や電子手帳２００などの他の装置との間でデータ通信を行なう。本実施の形態においては、無線通信インターフェイス１０３は、Bluetooth（登録商標）の規格に従ってデータの送受信を行なう。ただし、無線通信インターフェイス１０３は、赤外線などを使用した他の通信方式や、無線ＬＡＮの規格であるＩＥＥＥ８０２．１１ａ、ＩＥＥＥ８０２．１１ｂおよびＩＥＥＥ８０２．１１ｇのいずれかに基づく無線技術を利用するものであってもよい。
【００６２】
ディスプレイ１０４は、ＣＰＵ１０１からの信号に基づいて、画像やテキストなどを表示する。たとえば、ＣＰＵ１０１は、コンテンツサーバ４００からダウンロードしたコンテンツデータに基づいて、ディスプレイ１０４にコンテンツを表示させる。
【００６３】
操作部１０５は、複数のハードウェアのボタンを含む。操作部１０５は、ユーザから各種の情報を受け付ける。たとえば、操作部１０５は、ユーザからの動作に応じて、ユーザＩＤや、パスワードや、クレジットカード番号や、コンテンツの選択命令や、端末の選択命令や、コンテンツの再生命令や、コンテンツの停止命令などを受け付ける。
【００６４】
ディスプレイ１０４と操作部１０５とが、タッチパネルによって実現されてもよい。そして、操作部１０５が、タッチパネル上のソフトウェアボタンを含んでも良い。タッチパネルは、抵抗膜方式、表面弾性波方式、赤外線方式、電磁誘導方式、静電容量方式などのいずれのタイプであってもよい。また、タッチパネルは、光センサ液晶を含んでもよい。
【００６５】
揮発メモリ１０６は、ワークメモリとして機能する。揮発メモリ１０６は、たとえば、ＳＲＡＭ（Static  Random  Access  Memory）、ＤＲＡＭ（Dynamic  Random  Access  Memory）、ＳＤＲＡＭ（Synchronous  DRAM）、ＤＤＲ−ＳＤＲＡＭ（Double  Data  Rate
SDRAM）、ＲＤＲＡＭ（Rambus  Dynamic  Random  Access  Memory（登録商標））、Ｄ
ｉｒｅｃｔ−ＲＤＲＡＭ（Direct  Rambus  Dynamic  Random  Access  Memory（登録商標））、その他、データを揮発的に記憶保持可能な構成を有する回路などによって実現される。
【００６６】
一方、不揮発メモリ１０７は、たとえば、フラッシュメモリ、マスクＲＯＭ（Read  Only  Memory）、ＰＲＯＭ（Programmable  Read  Only  Memory）、ＥＰＲＯＭ（Erasable
Programmable  ROM）、ＥＥＰＲＯＭ（Electrically  Erasable  PROM）、ＦｅＲＡＭ（Ferroelectric  Random  Access  Memory）、その他、データを不揮発に記録保持可能な構成を有する回路などによって実現される。
【００６７】
不揮発メモリ１０７は、たとえば、携帯電話１００を識別するための端末ＩＤなどの端末情報を記憶する。なお、本実施の形態においては、端末ＩＤとして、Bluetoothデバイスアドレスを利用する。Bluetooth以外の通信方式、たとえば、有線ＬＡＮまたは無線ＬＡＮ（ＩＥＥＥ８０２．１１）を使用する場合には、端末ＩＤとして、ＭＡＣアドレスを使用してもよい。また、不揮発メモリ１０７は、携帯電話１００のユーザを識別するためのユーザＩＤを含むユーザ情報を記憶してもよい。
【００６８】
スピーカ１０８は、ＣＰＵ１０１からの信号に基づいて、音声を出力する。マイク１０９は、入力された音声を信号へと変換して、当該信号をＣＰＵ１０１へ入力する。
【００６９】
メモリインターフェイス１１０には、外部メモリ１１１が接続される。外部メモリ１１１は、たとえば、ＵＳＢ（Universal  Serial  Bus）メモリ、メモリカード、磁気テープ、カセットテープ、光ディスク（ＭＯ（Magnetic  Optical  Disc）、ＤＶＤ（Digital  Versatile  Disc）、ＣＤ（Compact  Disc））、ＩＣ（Integrated  Circuit）カード、光カードなどによって実現される。
【００７０】
ＣＰＵ１０１は、メモリインターフェイス１１０を介して外部メモリ１１１に格納されているデータを読みして、当該データを揮発メモリ１０６および不揮発メモリ１０７に格納する。逆に、ＣＰＵ１０１は、揮発メモリ１０６および不揮発メモリ１０７からデータを読み出して、メモリインターフェイス１１０を介して当該データを外部メモリ１１１に格納する。
【００７１】
なお、外部メモリ１１１は、フロッピー（登録商標）ディスク、ＣＦ(Compact  Flash（登録商標）)  カード、ＳＭ（Smart  Media（登録商標））、ＭＭＣ（Multi  Media  Card（登録商標））、ＳＤ（Secure  Digital（登録商標））メモリカード、メモリスティック（登録商標）、ｘＤピクチャーカード（登録商標）、あるいはハードディスクなどの磁気メモリであってもよい。
【００７２】
＜電子手帳２００の構成＞
次に、図３を参照して、ネットワークシステム１に含まれる電子手帳２００の構成について説明する。図３は、本実施の形態に係る電子手帳２００の構成を示すブロック図である。
【００７３】
電子手帳２００は、主たる構成要素として、ＣＰＵ２０１と、無線通信インターフェイス２０３と、ディスプレイ２０４と、操作部２０５と、揮発メモリ２０６と、不揮発メモリ２０７と、メモリインターフェイス２１０とを含む。なお、外部メモリ２１１は、電子手帳２００に着脱自在な不揮発の記録媒体である。すなわち、電子手帳２００は、電話通信インターフェイス１０２と、スピーカ１０８と、マイク１０９とを含まない点において、携帯電話１００と異なる。
【００７４】
不揮発メモリ２０７は、たとえば、電子手帳２００を識別するための端末ＩＤなどの端末情報を記憶する。また、不揮発メモリ２０７は、電子手帳２００のユーザを識別するためのユーザＩＤを含むユーザ情報を記憶してもよい。
【００７５】
本実施の形態に係る電子手帳２００は、電話通信インターフェイス１０２を有さないため、液晶テレビ３００や携帯電話１００を介すことなく、コンテンツサーバ４００とデータを送受信することはできない。そのため、電子手帳２００は、無線通信インターフェイス２０３を用いて、液晶テレビ３００を介して、コンテンツサーバ４００からコンテンツをダウンロードする。その他の、電子手帳２００のハードウェア構成は、携帯電話１００のそれと同様であるため、ここでは説明を繰り返さない。
【００７６】
＜液晶テレビ３００の構成＞
次に、図４を参照して、ネットワークシステム１に含まれる液晶テレビ３００の構成について説明する。図４は、本実施の形態に係る液晶テレビ３００の構成を示すブロック図である。
【００７７】
液晶テレビ３００は、主たる構成要素として、ＣＰＵ３０１と、インターネットインターフェイス３０２と、無線通信インターフェイス３０３と、ディスプレイ３０４と、操作部３０５と、揮発メモリ３０６と、不揮発メモリ３０７と、スピーカ３０８とを含む。すなわち、本実施の形態に係る液晶テレビ３００は、電話通信インターフェイス１０２、マイク１０９と、メモリインターフェイス１１０と、外部メモリ１１１とを含まない点、およびインターネットインターフェイス３０２を含む点において、携帯電話１００と異なる。ただし、液晶テレビ３００は、電話通信インターフェイス１０２、マイク１０９、メモリインターフェイス１１０、外部メモリ１１１などを含んでも良い。
【００７８】
不揮発メモリ３０７は、たとえば、液晶テレビ３００を識別するための端末ＩＤなどの端末情報を記憶する。また、不揮発メモリ３０７は、液晶テレビ３００のユーザを識別するためのユーザＩＤを含むユーザ情報を記憶してもよい。
【００７９】
本実施の形態に係る液晶テレビ３００は、インターネットインターフェイス３０２を有するため、携帯電話１００や電子手帳２００を介すことなく、コンテンツサーバ４００とデータを送受信することが可能である。その他の、液晶テレビ３００のハードウェア構成は、携帯電話１００のそれと同様であるため、ここでは説明を繰り返さない。
【００８０】
＜コンテンツサーバ４００の構成＞
次に、図５を参照して、ネットワークシステム１に含まれるコンテンツサーバ４００の構成について説明する。図５は、本実施の形態に係るコンテンツサーバ４００の構成を示すブロック図である。
【００８１】
コンテンツサーバ４００は、主たる構成要素として、ＣＰＵ４０１と、インターネットインターフェイス４０２と、ディスプレイ４０４と、操作部４０５と、揮発メモリ４０６と、不揮発メモリ４０７と、ハードディスク（ＨＤＤ）４１２と、メモリインターフェイス４１０、外部メモリ４１１とを含む。すなわち、本実施の形態に係るコンテンツサーバ４００は、電話通信インターフェイス１０２と、スピーカ１０８と、マイク１０９とを含まない点、およびハードディスク４１２を含む点において、携帯電話１００と異なる。
【００８２】
不揮発メモリ４０７は、たとえば、コンテンツを識別するためのコンテンツＩＤなどのコンテンツ情報を当該コンテンツ自体に対応付けて記憶する。また、不揮発メモリ４０７は、携帯電話１００や電子手帳２００や液晶テレビ３００の端末情報、それらのユーザのユーザ情報、それらのユーザが購入したコンテンツのコンテンツ情報と対応付けて記憶す
る。
【００８３】
＜コンテンツ購入処理＞
次に、ネットワークシステム１におけるコンテンツ購入処理の処理手順について説明する。図６Ａは、本実施の形態に係るネットワークシステム１におけるコンテンツ購入処理の処理手順を示す第１のシーケンス図である。図６Ｂは、本実施の形態に係るネットワークシステム１におけるコンテンツ購入処理の処理手順を示す第２のシーケンス図である。
【００８４】
以下では、予め電子手帳２００および液晶テレビ３００は、後述するＴＶ接続処理（ステップＳ２００）を終了しているものとする。図６Ａを参照して、携帯電話１００のＣＰＵ１０１が、操作部１０５を介して、ユーザからログイン要求を受け付ける。
【００８５】
ここで、図７は、本実施の形態に係るログイン要求時におけるディスプレイ１０４を示すイメージ図である。図７を参照して、ステップＳ１０２において、ＣＰＵ１０１は、ディスプレイ１０４にコンテンツ提供サービスにログインするための画面を表示させる。ＣＰＵ１０１は、ディスプレイ１０４に、ユーザＩＤを入力するための欄とパスワードを入力するための欄とを表示させる。換言すれば、ＣＰＵ１０１は、操作部１０５を介して、ユーザからユーザＩＤとパスワードなどをユーザ情報として受け付ける。
【００８６】
図６Ａに戻って、ＣＰＵ１０１は、電話通信インターフェイス１０２を用いて、インターネット網６００を介してコンテンツサーバ４００にログイン要求としてのユーザ情報Ｄ１０２を送信する（ステップＳ１０２）。
【００８７】
図８は、本実施の形態に係るユーザ情報Ｄ１０２のデータ構造を示すイメージ図である。図８を参照して、本実施の形態においては、ユーザ情報Ｄ１０２は、ユーザを識別するためのユーザＩＤと、パスワードと、端末を識別するための端末ＩＤとを含む。ただし、ユーザ情報は、ユーザＩＤなどのユーザを識別するための情報のみを含む概念であってもよい。すなわち、ユーザ情報は、端末ＩＤなどの端末を識別するための情報を含まない概念であってもよい。
【００８８】
このように、携帯電話１００のＣＰＵ１０１は、電話通信インターフェイス１０２を介してユーザ情報Ｄ１０２をコンテンツサーバ４００へと送信する。コンテンツサーバ４００のＣＰＵ４０１は、インターネットインターフェイス４０２を介して携帯電話１００から受信したユーザ情報Ｄ１０２に基づいてログイン処理を行なう。
【００８９】
図６Ａに戻って、コンテンツサーバ４００のＣＰＵ４０１は、インターネットインターフェイス４０２を介して、携帯電話１００からユーザ情報Ｄ１０２を受信したか否かを判断する（ステップＳ１０４）。ＣＰＵ４０１は、携帯電話１００からユーザ情報Ｄ１０２を受信した場合（ステップＳ１０４においてＹＥＳである場合）、ログイン処理を実行する（ステップＳ１０６）。一方、ＣＰＵ４０１は、携帯電話１００からユーザ情報Ｄ１０２を受信しない場合（ステップＳ１０４においてＮＯである場合）、ステップＳ１０４からの処理を繰り返す。
【００９０】
ＣＰＵ４０１は、ログイン処理が成功したか否かを判断する（ステップＳ１０８）。ログイン処理が成功した場合（ステップＳ１０８にてＹＥＳである場合）、ＣＰＵ４０１は、コンテンツの購入時における一時的なパスワード（ワンタイムパスワード）を生成するとともに、インターネットインターフェイス４０２を介して、携帯電話１００にログイン結果情報Ｄ１０４を送信する（ステップＳ１１０）。一方、ログイン処理が失敗した場合（ステップＳ１０８にてＮＯである場合）、ＣＰＵ４０１は、ステップＳ１０４からの処理を繰り返す。
【００９１】
図９は、本実施の形態に係るログイン結果情報Ｄ１０４のデータ構造を示すイメージ図である。図９を参照して、本実施の形態においては、ログイン結果情報Ｄ１０４は、ログイン処理が成功したか失敗したかを示す情報と、ワンタイムパスワードと、コンテンツサーバ４００が提供できるコンテンツの数と、各々のコンテンツに関する複数のコンテンツ情報Ｄ１０６とを含む。
【００９２】
図１０は、本実施の形態に係るコンテンツ情報Ｄ１０６のデータ構造を示すイメージ図である。図１０を参照して、本実施の形態においては、コンテンツ情報Ｄ１０６は、コンテンツを識別するためのコンテンツＩＤと、コンテンツのタイトルと、コンテンツデータのメディア形式と、コンテンツデータの価格と、その他のコンテンツに関する情報とを含む。
【００９３】
このように、コンテンツサーバ４００のＣＰＵ４０１は、インターネットインターフェイス４０２を介して、複数のコンテンツ各々のコンテンツ情報Ｄ１０６を含むログイン結果情報Ｄ１０４を携帯電話１００へと送信する。一方、携帯電話１００のＣＰＵ１０１は、電話通信インターフェイス１０２を介して、ログイン結果情報Ｄ１０４をコンテンツサーバ４００から受信する。
【００９４】
図６Ａに戻って、携帯電話１００のＣＰＵ１０１は、ログイン結果情報Ｄ１０４に基づいて、ログイン処理が成功したか否かを判断する（ステップＳ１１２）。ログイン処理が成功した場合（ステップＳ１１２にてＹＥＳである場合）、ＣＰＵ１０１は、ＴＶ接続処理（ステップＳ２００）を実行する。一方、ログイン処理が失敗した場合（ステップＳ１１２にてＮＯである場合）、ＣＰＵ１０１は、ステップＳ１０２からの処理を繰り返す。ＴＶ接続処理（ステップＳ２００）については、後述する。
【００９５】
ＣＰＵ１０１は、操作部１０５を介して、ユーザからコンテンツの購入命令を受け付けたか否かを判断する（ステップＳ１１６）。
【００９６】
図１１は、本実施の形態に係るユーザが購入を希望するコンテンツを選択する際におけるディスプレイ１０４を示すイメージ図である。図１１を参照して、ＣＰＵ１０１は、ディスプレイ１０４に、ログイン結果情報Ｄ１０４に含まれるコンテンツ情報Ｄ１０６に対応するコンテンツを選択可能に表示する。すなわち、ＣＰＵ１０１は、操作部１０５を介して、ユーザからコンテンツの選択命令を受け付ける。
【００９７】
より詳細には、ユーザがコンテンツ切換ボタン１０４Ａを押下すると、ＣＰＵ１０１は、ディスプレイ１０４に次のコンテンツを表示させる。いずれかのコンテンツ情報が表示された状態で、ユーザが購入確認ボタン１０４Ｂを押下すると、ＣＰＵ１０１は当該コンテンツ情報に対応するコンテンツの購入命令を受け付ける。
【００９８】
図６Ａに戻って、コンテンツの購入依頼を受け付けない場合（ステップＳ１１６にてＮＯである場合）、ＣＰＵ１０１は、ステップＳ１１６からの処理を繰り返す。一方、コンテンツの購入依頼を受け付けた場合（ステップＳ１１６にてＹＥＳである場合）、ＣＰＵ１０１は、無線通信インターフェイス１０３を用いて、液晶テレビ３００にコンテンツ購入依頼情報Ｄ１０８を送信する（ステップＳ１１８）。
【００９９】
図１２は、本実施の形態に係るコンテンツ購入依頼情報Ｄ１０８のデータ構造を示すイメージ図である。図１２を参照して、コンテンツ購入依頼情報Ｄ１０８は、コンテンツを識別するためのコンテンツＩＤと、ユーザを識別するためのユーザＩＤと、ワンタイムパスワードと、端末を識別するための端末ＩＤと、当該コンテンツＩＤに対応するコンテン
ツ情報とを含む。
【０１００】
このように、携帯電話１００のＣＰＵ１０１は、無線通信インターフェイス１０３を介してコンテンツ購入依頼情報Ｄ１０８を液晶テレビ３００へと送信する。一方、液晶テレビ３００のＣＰＵ３０１は、無線通信インターフェイス３０３を介して、携帯電話１００からのコンテンツ購入依頼情報Ｄ１０８を受け付ける。
【０１０１】
図６Ａに戻って、液晶テレビ３００のＣＰＵ３０１は、無線通信インターフェイス３０３を介して、携帯電話１００からコンテンツ購入依頼情報Ｄ１０８を受信したか否かを判断する（ステップＳ１２０）。購入依頼情報Ｄ１０８を受信していない場合（Ｓ１２０にてＮＯである場合）、ＣＰＵ３０１は、ステップＳ１２０からの処理を繰り返す。一方、購入依頼情報Ｄ１０８を受信した場合（Ｓ１２０にてＹＥＳである場合）、コンテンツ購入依頼情報Ｄ１０８に含まれる端末ＩＤを揮発メモリ３０６に格納する（ステップＳ１２２）。ＣＰＵ３０１は、無線通信インターフェイス３０３を用いて、Bluetooth（登録商標）通信が可能な端末を検索する（ステップＳ１２４）。
【０１０２】
当該検索時に、電子手帳２００が液晶テレビ３００とBluetooth（登録商標）通信が可能である場合、すなわち電子手帳２００のＣＰＵ２０１が無線通信インターフェイス２０３を介して液晶テレビ３００から端末情報送信依頼メッセージを受信した場合（ステップＳ１２６にてＹＥＳである場合）、ＣＰＵ２０１は無線通信インターフェイス２０３を介して自身の端末情報Ｄ１１０を液晶テレビ３００へと送信する（ステップＳ１２８）。
【０１０３】
図１３は、本実施の形態に係る端末情報Ｄ１１０のデータ構造を示すイメージ図である。図１３を参照して、端末情報Ｄ１１０は、端末ＩＤと、端末のデバイス名と、端末の種別と、端末が再生可能なデータ形式とを含む。ただし、端末情報は、端末ＩＤのような端末を識別する情報のみを含む概念であってもよい。このように、電子手帳２００のＣＰＵ２０１は、無線通信インターフェイス２０３を介して、液晶テレビ３００からの検索要求に応じて、端末情報Ｄ１１０を液晶テレビ３００へと送信する。一方、液晶テレビ３００のＣＰＵ３０１は、無線通信インターフェイス３０３を介して、検索要求の返答としての端末情報Ｄ１１０を電子手帳２００から受信する。
【０１０４】
図６Ｂを参照して、液晶テレビ３００のＣＰＵ３０１は、無線通信インターフェイス３０３を介して接続可能な端末から端末情報Ｄ１１０を受信した際に、当該端末（電子手帳２００）がコンテンツ購入依頼情報Ｄ１０８に対応するコンテンツを再生可能か否かを判断する（ステップＳ１３０）。すなわち、ＣＰＵ３０１は、コンテンツ購入依頼情報Ｄ１０８に含まれるメディア形式と、端末情報Ｄ１１０に含まれる再生可能形式とが一致するか否かを判断する。
【０１０５】
対象となる端末（電子手帳２００）が、対象となるコンテンツを再生可能である場合（ステップＳ１３０にてＹＥＳである場合）、対象となる端末情報Ｄ１１０を揮発メモリ３０６に格納する（ステップＳ１３２）。一方、対象となる端末が、対象となるコンテンツを再生可能でない場合（Ｓ１３０にてＮＯである場合）、ＣＰＵ３０１は、ステップＳ１３４からの処理を実行する。
【０１０６】
ＣＰＵ３０１は、端末情報Ｄ１１０を取得していない端末が未だ存在するか否かを判断する。すなわち、Bluetooth（登録商標）通信による端末の検索が終了したか否かを判断する（ステップＳ１３４）。ＣＰＵ３０１は、端末の検索が終了していない場合（ステップＳ１３４にてＮＯである場合）、ステップＳ１２４からの処理を実行する。
【０１０７】
ＣＰＵ３０１は、端末の検索が終了した場合（ステップＳ１３４にてＹＥＳである場合
）、ＣＰＵ３０１は、無線通信インターフェイス３０３を用いて、取得した端末情報Ｄ１１０のうち対象となるコンテンツを再生可能な端末に対応する端末情報Ｄ１１０を含む端末情報群Ｄ１１２を無線通信インターフェイス３０３を利用することによって携帯電話１００へと送信する（ステップＳ１３６）。
【０１０８】
図１４は、本実施の形態に係る端末情報群（端末リスト）Ｄ１１２のデータ構造を示すイメージ図である。図１４を参照して、端末情報群Ｄ１１２は、液晶テレビ３００が接続可能な端末の個数に液晶テレビ３００自身の個数を加えた合計個数と、液晶テレビ３００が接続可能な端末と液晶テレビ３００自身とに関する複数の端末情報Ｄ１１０とを含む。
【０１０９】
このように、液晶テレビ３００のＣＰＵ３０１は、無線通信インターフェイス３０３を介して、端末情報群Ｄ１１２として、自身の端末情報Ｄ１１０と自身が接続可能な端末に関する端末情報Ｄ１１０とを携帯電話１００へと送信する。より詳細には、液晶テレビ３００のＣＰＵ３０１は、無線通信インターフェイス３０３を介して、購入対象となっているコンテンツのメディア形式に対応している端末の端末情報Ｄ１１０のみを含む端末情報群Ｄ１１２を、携帯電話１００に送信する。一方、携帯電話１００のＣＰＵ１０１は、無線通信インターフェイス１０３を介して液晶テレビ３００から端末情報群Ｄ１１２を受信する。
【０１１０】
図６Ｂに戻って、ＣＰＵ１０１は、液晶テレビ３００から受信した端末情報群Ｄ１１２に基づいて、液晶テレビ３００に接続可能な端末を選択可能にディスプレイ１０４に表示させる。
【０１１１】
図１５は、本実施の形態に係るユーザがコンテンツを再生するための端末を選択する際におけるディスプレイ１０４を示すイメージ図である。図１５を参照して、ＣＰＵ１０１は、ディスプレイ１０４に、端末情報群Ｄ１１２に含まれる端末情報Ｄ１１０に対応する端末を選択可能に表示させる。すなわち、ＣＰＵ１０１は、操作部１０５を介して、コンテンツを再生するための端末の選択命令を受け付ける。
【０１１２】
本実施の形態においては、ＣＰＵ１０１は、ディスプレイ１０４に、端末毎のチェックボックス１０４Ｃを選択可能に表示する。ＣＰＵ１０１は、操作部１０５を介して、チェックボックス１０４Ｃへのチェックを選択命令として受け付ける。そして、１以上の端末がチェックされている状態で購入ボタンが押下されると、ＣＰＵ１０１は購入続行指示を受け付けたものと判断する。
【０１１３】
図６Ｂに戻って、ＣＰＵ１０１は、操作部１０５を介してユーザから端末の選択命令を受け付けたか否かを判断する（ステップＳ１３８）。ＣＰＵ１０１は、端末の選択命令を受け付けない場合（ステップＳ１３８にてＮＯである場合）、ステップＳ１３８からの処理を繰り返す。一方、ＣＰＵ１０１は、端末の選択命令を受け付けた場合（ステップＳ１３８にてＹＥＳである場合）、操作部１０５を介してユーザから購入続行指示を受け付けたか否かを判断する（ステップＳ１４０）。ＣＰＵ１０１は、ユーザから購入続行指示を受け付けない場合（ステップＳ１４０にてＮＯである場合）、ステップＳ１１６からの処理を繰り返す。
【０１１４】
ＣＰＵ１０１は、ユーザから購入続行指示を受け付けた場合（ステップＳ１４０にてＹＥＳである場合）、無線通信インターフェイス１０３を用いて、液晶テレビ３００の端末情報Ｄ１１０と選択命令に対応する端末の端末情報Ｄ１１０とを含む端末情報群Ｄ１１２を液晶テレビ３００へと送信する（ステップＳ１２２）。換言すれば、再度図１３および図１４を参照して、ＣＰＵ１０１は、端末の選択命令に基づいて、無線通信インターフェイス１０３を介して、液晶テレビ３００と選択された端末に対応する端末情報Ｄ１１０を
含む端末情報群Ｄ１１２を購入続行通知として液晶テレビ３００へと送信する。
【０１１５】
より詳細には、ユーザによる端末の選択命令に応じて、端末情報群Ｄ１１２の端末数および対応する端末情報が変更される。なお、ＣＰＵ１０１は、端末の選択命令に基づいて、無線通信インターフェイス１０３を介して、選択された端末に対応する端末ＩＤのみを購入続行通知として液晶テレビ３００へと送信してもよい。
【０１１６】
図６Ｂに戻って、液晶テレビ３００のＣＰＵ３０１は、無線通信インターフェイス３０３を用いて、携帯電話１００から購入続行通知を受信したか否かを判断する（ステップＳ１４４）。ＣＰＵ３０１は、購入続行通知を受信しない場合（ステップＳ１４４にてＮＯである場合）、ステップＳ１２４からの処理を繰り返す。一方、ＣＰＵ３０１は、購入続行通知を受信した場合（ステップＳ１４４にてＹＥＳである場合）、コンテンツ購入要求情報Ｄ１１４をコンテンツサーバ４００へと送信する（ステップＳ１４６）。
【０１１７】
図１６は、本実施の形態に係るコンテンツ購入要求情報Ｄ１１４のデータ構造を示すイメージ図である。図１６を参照して、コンテンツ購入要求情報Ｄ１１４は、ユーザＩＤと、ワンタイムパスワードと、コンテンツＩＤと、端末情報群Ｄ１１２（端末リスト）とを含む。このように、液晶テレビ３００のＣＰＵ３０１は、インターネットインターフェイス３０２を介してコンテンツ購入要求情報Ｄ１１４をコンテンツサーバ４００へと送信する。一方、コンテンツサーバ４００のＣＰＵ４０１は、インターネットインターフェイス４０２を介して、液晶テレビ３００からコンテンツ購入要求情報Ｄ１１４を受信する。
【０１１８】
図６Ｂに戻って、コンテンツサーバ４００は、インターネットインターフェイス４０２を介して携帯電話１００からログアウト要求を受信したか否かを判断する（ステップＳ１４８）。ＣＰＵ４０１は、ログアウト要求を受信した場合（ステップＳ１４８にてＹＥＳである場合）、ログアウト処理を実行する（ステップＳ１５０）。ＣＰＵ４０１は、ステップＳ１０４からの処理を繰り返す。
【０１１９】
一方、ＣＰＵ４０１は、ログアウト要求を受信しない場合（ステップＳ１４８にてＮＯである場合）、インターネットインターフェイス４０２を介して、携帯電話１００からコンテンツ購入要求情報Ｄ１１４を受信したか否かを判断する（ステップＳ１５２）。ＣＰＵ４０１は、コンテンツ購入要求情報Ｄ１１４を受信しない場合（ステップＳ１５２においてＮＯである場合）、インターネットインターフェイス４０２を用いて液晶テレビ３００に購入失敗通知Ｄ１１６を送信する（ステップＳ１５４）。
【０１２０】
一方、ＣＰＵ４０１は、液晶テレビ３００からコンテンツ購入要求情報Ｄ１１４を受信した場合（ステップＳ１５２にてＹＥＳである場合）、予め登録されているユーザＩＤおよびパスワードと、コンテンツ購入要求情報Ｄ１１４に含まれているユーザＩＤおよびワンタイムパスワードとが一致するか否かを判断する（ステップＳ１５６）。予め登録されているユーザＩＤあるいは、ステップＳ１１０で生成したワンタイムパスワードとコンテンツ購入要求情報Ｄ１１４に含まれるユーザＩＤあるいはワンタイムパスワードとが一致しない場合（ステップＳ１５６にてＮＯである場合）、ＣＰＵ４０１は、ステップＳ１５４からの処理を実行する。
【０１２１】
一方、予め登録されているユーザＩＤおよびステップＳ１１０で生成したワンタイムパスワードとコンテンツ購入要求情報Ｄ１１４に含まれるユーザＩＤおよびワンタイムパスワードとが一致する場合（ステップＳ１５６にてＹＥＳである場合）、ＣＰＵ４０１は、課金処理が成功したか否かを判断する（ステップＳ１５８）。ＣＰＵ４０１は、課金処理が失敗した場合（ステップＳ１５８にてＮＯである場合）、ステップＳ１５４からの処理を実行する。
【０１２２】
一方、ＣＰＵ４０１は、課金処理が成功した場合（ステップＳ１５８にてＹＥＳである場合）、コンテンツの購入に関わる情報を不揮発メモリ４０７に格納する（ステップＳ１６０）。すなわち、ＣＰＵ４０１は、コンテンツ購入要求情報Ｄ１１４に含まれる、ユーザＩＤと、コンテンツＩＤと、端末情報群Ｄ１１２（端末リスト）とを対応付けて、不揮発メモリ４０７に記憶する。ＣＰＵ４０１は、インターネットインターフェイス４０２を介して、購入成功通知Ｄ１１６を液晶テレビ３００に送信する（ステップＳ１６２）。ＣＰＵ４０１は、ステップＳ１０４からの処理を繰り返す。
【０１２３】
図１７は、本実施の形態に係る購入成功通知Ｄ１１６あるいは購入失敗通知Ｄ１１６のデータ構造を示すイメージ図である。図１７を参照して、コンテンツ購入成功通知（購入失敗通知）Ｄ１１６は、コンテンツの購入処理が成功したか失敗したかを示す情報と、コンテンツのタイトルと、コンテンツの価格とを含む。このように、コンテンツサーバ４００のＣＰＵ４０１は、インターネットインターフェイス４０２を介して購入成功通知（購入失敗通知）Ｄ１１６を液晶テレビ３００へと送信する。一方、液晶テレビ３００のＣＰＵ３０１は、インターネットインターフェイス３０２を介して、コンテンツサーバ４００から購入成功通知（購入失敗通知）Ｄ１１６を受信する。
【０１２４】
図６Ｂに戻って、液晶テレビ３００のＣＰＵ３０１は、インターネットインターフェイス３０２を介して購入成功通知Ｄ１１６をコンテンツサーバ４００から受信したか否かを判断する（ステップＳ１６４）。購入成功通知Ｄ１１６を受信した場合（ステップＳ１６４にてＹＥＳである場合）、ＣＰＵ３０１は、無線通信インターフェイス３０３を介して購入成功通知Ｄ１１６を携帯電話１００に送信する（ステップＳ１６６）。一方、購入成功通知Ｄ１１６を受信しない場合、すなわち購入失敗通知Ｄ１１６を受信した場合（ステップＳ１６４にてＮＯである場合）、ＣＰＵ３０１は、無線通信インターフェイス３０３を介して購入失敗通知Ｄ１１６を携帯電話１００に送信する（ステップＳ１６８）。ＣＰＵ３０１は、ステップＳ１２４からの処理を繰り返す。
【０１２５】
携帯電話１００のＣＰＵ１０１は、液晶テレビ３００からの購入成功通知（あるいは購入失敗通知）Ｄ１１６に基づいて、購入処理が成功したか否かを判断する（ステップＳ１７０）。ＣＰＵ１０１は、購入処理が成功した場合（ステップＳ１７０にてＹＥＳである場合）、ディスプレイ１０４に購入完了した旨を表示させる（ステップＳ１７２）。一方、購入処理が失敗した場合（ステップＳ１７０にてＮＯである場合）、ディスプレイ１０４に購入が失敗した旨を表示した上で、ステップＳ１７４からの処理を実行する。
【０１２６】
図１８は、本実施の形態に係るコンテンツの購入が完了した際におけるディスプレイ１０４を示すイメージ図である。図１８を参照して、ＣＰＵ１０１は、無線通信インターフェイス１０３を介して液晶テレビ３００から受信した購入成功通知Ｄ１１６に基づいて、ディスプレイ１０４に購入が完了した旨を表示させる。
【０１２７】
図６Ｂに戻って、ＣＰＵ１０１は、操作部１０５を介して、ユーザからログアウト操作を受け付けたか否かを判断する（ステップＳ１７４）。ＣＰＵ１０１は、ユーザからログアウト操作を受け付けない場合（ステップＳ１７４にてＮＯである場合）、ステップＳ１１６からの処理を繰り返す。
【０１２８】
一方、ＣＰＵ１０１は、ユーザからログアウト操作を受け付けた場合（ステップＳ１７４にてＹＥＳである場合）、電話通信インターフェイス１０２を介してコンテンツサーバ４００へとログアウト要求を送信する（ステップＳ１７６）。ＣＰＵ１０１は、ステップＳ１０２からの処理を繰り返す。
【０１２９】
＜ＴＶ接続処理＞
次に、ネットワークシステム１におけるＴＶ接続処理の処理手順について説明する。図１９は、本実施の形態に係るネットワークシステム１におけるＴＶ接続処理の処理手順を示すシーケンス図である。以下では、携帯電話１００と液晶テレビ３００との間の接続処理について説明する。電子手帳２００と液晶テレビ３００との接続処理については、携帯電話１００と液晶テレビ３００との接続処理と同様であるため、ここでは説明を繰り返さない。
【０１３０】
図１９を参照して、携帯電話１００のＣＰＵ１０１は、無線通信インターフェイス１０３を介して、液晶テレビ３００に接続要求を送信する（ステップＳ２０２）。液晶テレビ３００のＣＰＵ３０１は、無線通信インターフェイス３０３を介して、携帯電話１００から接続要求を受け付けたか否かを判断する（ステップＳ２０４）。
【０１３１】
ＣＰＵ３０１は、他の端末から接続要求を受け付けない場合（ステップＳ２０４にてＮＯである場合）、ステップＳ１２０からの処理を実行する。一方、ＣＰＵ３０１は、携帯電話１００から接続要求を受け付けた場合（ステップＳ２０４にてＹＥＳである場合）、携帯電話１００との間で以後の通信に必要な接続情報を交換する（ステップＳ２０６）。同様に、携帯電話１００のＣＰＵ１０１も、液晶テレビ３００との間で、接続情報を交換する（ステップＳ２０８）。なお、接続情報が端末情報Ｄ１１０を含んでもよい。この場合、ＣＰＵ３０１は、図６ＡのＳ１２４〜Ｓ１２８の処理を実行しなくてもよい。
【０１３２】
液晶テレビ３００のＣＰＵ３０１は、接続処理が成功したか否かを判断する（ステップＳ２１０）。ＣＰＵ３０１は、接続処理が失敗した場合（ステップＳ２１０にてＮＯである場合）、ステップＳ２０４からの処理を繰り返す。一方、ＣＰＵ３０１は、接続処理が成功した場合（ステップＳ２１０にてＹＥＳである場合）、接続情報を揮発メモリ３０６に格納する（ステップＳ２１２）。
【０１３３】
携帯電話１００は、液晶テレビとの接続処理が成功したか否かを判断する（ステップＳ２１４）。ＣＰＵ１０１は、接続処理が失敗した場合（ステップＳ２１４にてＮＯである場合）、コンテンツ購入処理を終了する。一方、接続処理が成功した場合（ステップＳ２１４にてＹＥＳである場合）、ＣＰＵ１０１は、ステップＳ１１６からの処理を実行する。
【０１３４】
＜第１のコンテンツ再生処理＞
次に、ネットワークシステム１における第１のコンテンツ再生処理の処理手順について説明する。図２０は、本実施の形態に係るネットワークシステム１における第１のコンテンツ再生処理の処理手順を示すシーケンス図である。ここでは、インターネット接続が可能であって、ユーザ情報を入力可能あるいはユーザ情報を既に保持している携帯電話１００がコンテンツを再生する場合における処理手順について説明する。なお、液晶テレビ３００がコンテンツを再生する場合における処理手順も、携帯電話のそれと同様であるため、説明を繰り返さない。
【０１３５】
図２０を参照して、携帯電話１００のＣＰＵ１０１は、操作部１０５を介して、ユーザからコンテンツリストを要求するための操作を受け付けたか否かを判断する（ステップＳ３０２）。
【０１３６】
図２１は、本実施の形態に係る携帯電話１００、電子手帳２００、液晶テレビ３００がユーザからコンテンツを視聴するための命令を受け付ける際におけるディスプレイ１０４，２０４，３０４を示すイメージ図である。図２１を参照して、ＣＰＵ１０１は、ディスプレイ１０４にコンテンツを視聴するためのボタン１０４Ｄと各種の設定命令を受け付け
るためのボタン１０４Ｅとを表示させる。すなわち、ＣＰＵ１０１は、操作部１０５を介して、ユーザからコンテンツを視聴するための命令を受け付ける。
【０１３７】
図２０に戻って、ＣＰＵ１０１は、ユーザからコンテンツリストを要求するための操作を受け付けない場合（ステップＳ３０２にてＮＯである場合）、ステップＳ３０２の処理を繰り返す。一方、ＣＰＵ１０１は、コンテンツリストを要求するための操作を受け付けた場合（ステップＳ３０２にてＹＥＳである場合）、電話通信インターフェイス１０２を介して、コンテンツリストを要求する旨のメッセージをコンテンツサーバ４００へと送信する（ステップＳ３０４）。なお、コンテンツリストを要求する旨のメッセージは、ユーザ情報Ｄ１０２を含む。
【０１３８】
コンテンツサーバ４００のＣＰＵ４０１は、無線通信インターフェイス２０３を介して、携帯電話１００からコンテンツリストを要求するためのメッセージを受信したか否かを判断する（ステップＳ３０６）。ＣＰＵ４０１は、携帯電話１００からコンテンツリストを要求するためのメッセージを受信しない場合（ステップＳ３０６にてＮＯである場合）、ステップＳ３１６からの処理を実行する。
【０１３９】
一方、ＣＰＵ４０１は、携帯電話１００からコンテンツリストを要求するためのメッセージを受信した場合（ステップＳ３０６にてＹＥＳである場合）、インターネットインターフェイス４０２を介して、携帯電話１００にコンテンツリストＤ１１８を送信する（ステップＳ３０８）。
【０１４０】
図２２は、本実施の形態に係るコンテンツリストＤ１１８のデータ構造を示すイメージ図である。図２２を参照して、コンテンツリストＤ１１８は、ユーザが既に購入済みのコンテンツ数と購入済みのコンテンツ毎のコンテンツ情報Ｄ１０６とを含む。コンテンツサーバ４００のＣＰＵ４０１は、インターネットインターフェイス４０２を介して、コンテンツリストＤ１１８を携帯電話１００へと送信する。一方、携帯電話１００のＣＰＵ１０１は、電話通信インターフェイス１０２を介して、コンテンツサーバ４００からコンテンツリストＤ１１８を受信する。
【０１４１】
図２０に戻って、携帯電話１００のＣＰＵ１０１は、無線通信インターフェイス１０３を介して、コンテンツサーバ４００からコンテンツリストＤ１１８を受信し、当該コンテンツリストＤ１１８に基づいてコンテンツ情報をディスプレイ１０４に表示する（ステップＳ３１０）。ＣＰＵ１０１は、操作部１０５を介してユーザからコンテンツ再生するための操作を受け付けたか否かを判断する（ステップＳ３１２）。
【０１４２】
図２３は、本実施の形態に係るユーザからコンテンツ再生命令を受け付ける際におけるディスプレイ１０４，２０４，３０４を示すイメージ図である。図２３を参照して、ＣＰＵ１０１は、電話通信インターフェイス１０２を介してコンテンツサーバ４００からコンテンツを受信した際に、ディスプレイ１０４に、購入済コンテンツのコンテンツ情報と次のコンテンツに切り替えるためのボタン１０４Ｆと、表示中のコンテンツ情報に対応するコンテンツを再生するためのボタン１０４Ｇとを表示させる。すなわち、ＣＰＵ１０１は、操作部１０５を介して、ユーザからコンテンツの切換命令（選択命令）と、コンテンツの再生命令（選択決定命令）とを受け付ける。
【０１４３】
図２０に戻って、ＣＰＵ１０１は、ユーザからコンテンツの再生命令を受け付けない場合（ステップＳ３１２にてＮＯである場合）、ステップＳ３１２の処理を繰り返す。一方、ＣＰＵ１０１は、操作部１０５を介してユーザからコンテンツの再生命令を受け付けた場合（ステップＳ３１２にてＹＥＳである場合）、電話通信インターフェイス１０２を介して、コンテンツを要求する旨のメッセージ（第１のコンテンツ要求情報Ｄ１２０）をコ
ンテンツサーバ４００へと送信する（ステップＳ３１４）。
【０１４４】
図２４は、本実施の形態に係る第１のコンテンツ要求情報Ｄ１２０のデータ構造を示すイメージ図である。図２４を参照して、第１のコンテンツ要求情報Ｄ１２０は、ユーザ情報と、コンテンツＩＤと、端末ＩＤとを含む。このように、携帯電話１００のＣＰＵ１０１は、電話通信インターフェイス１０２を介して、コンテンツ要求情報Ｄ１２０をコンテンツサーバ４００へと送信する。一方、コンテンツサーバ４００のＣＰＵ４０１は、インターネットインターフェイス４０２を介して、携帯電話１００からコンテンツ要求情報Ｄ１２０を受信する。
【０１４５】
図２０に戻って、コンテンツサーバ４００のＣＰＵ４０１は、インターネットインターフェイス４０２を介して、携帯電話１００からコンテンツ要求情報Ｄ１２０を受信したか否かを判断する（ステップＳ３１６）。ＣＰＵ４０１は、携帯電話１００からコンテンツ要求情報Ｄ１２０を受信しない場合（ステップＳ３１６にてＮＯである場合）、ステップＳ３０６からの処理を実行する。
【０１４６】
一方、ＣＰＵ４０１は、インターネットインターフェイス４０２を介して携帯電話１００からコンテンツ要求情報Ｄ１２０を受信した場合（ステップＳ３１６にてＹＥＳである場合）、不揮発メモリ４０７を参照して、当該コンテンツ要求情報Ｄ１２０に含まれる端末ＩＤに対応する端末がコンテンツの購入時に登録された端末であるか否かを判断する（ステップＳ３１８）。より詳細には、ＣＰＵ４０１は、コンテンツ要求情報Ｄ１２０に含まれる端末ＩＤが、当該コンテンツ要求情報Ｄ１２０に含まれるコンテンツＩＤに対応付けて不揮発メモリ４０７に登録されている端末ＩＤのいずれかに一致するか否かを判断する。
【０１４７】
ＣＰＵ４０１は、コンテンツ要求情報Ｄ１２０に対応する端末が、コンテンツ利用可能な端末である場合（ステップＳ３１８にてＹＥＳである場合）、不揮発メモリ４０７から、コンテンツ要求情報Ｄ１２０に含まれるコンテンツＩＤに対応するコンテンツのデータを読み出す。ＣＰＵ４０１は、インターネットインターフェイス４０２を介して、当該端末へとコンテンツを送信する（ステップＳ３２０）。一方、コンテンツ要求情報Ｄ１２０に対応する端末が、コンテンツの利用を許可されていない端末である場合（ステップＳ３１８にてＮＯである場合）、ＣＰＵ４０１は、ステップＳ３０６からの処理を繰り返す。
【０１４８】
携帯電話１００のＣＰＵ１０１は、電話通信インターフェイス１０２を介して、コンテンツサーバ４００からコンテンツを受信し、ディスプレイ１０４にコンテンツを再生する（ステップＳ３２２）。
【０１４９】
図２５は、本実施の形態に係るコンテンツが再生される際におけるディスプレイ１０４，２０４，３０４を示すイメージ図である。ＣＰＵ１０１は、電話通信インターフェイス１０２を介してコンテンツサーバ４００から受信したコンテンツに基づいて、ディスプレイ１０４にコンテンツを再生する。同時に、ＣＰＵ１０１は、コンテンツサーバから受信したコンテンツに基づいて、スピーカ１０８に音声を出力させる。
【０１５０】
＜第２のコンテンツ再生処理＞
次に、ネットワークシステム１における第２のコンテンツ再生処理の処理手順について説明する。図２６は、本実施の形態に係るネットワークシステム１における第２のコンテンツ再生処理の処理手順を示すシーケンス図である。ここでは、インターネット接続は不可能であるが、ユーザ情報を入力可能なあるいはユーザ情報を保持している電子手帳２００がコンテンツを再生する際におけるコンテンツ再生処理の処理手順について説明する。
【０１５１】
図２６を参照して、電子手帳のＣＰＵ２０１が、無線通信インターフェイス２０３を用いて、テレビ接続処理（ステップＳ２００）を実行する。このとき、液晶テレビ３００においても、テレビ接続処理（ステップＳ２００）が実行される。
【０１５２】
次に、電子手帳２００のＣＰＵ２０１は、操作部２０５を介して、ユーザからコンテンツリストを要求するための操作を受け付けたか否かを判断する（ステップＳ４０２）。ＣＰＵ２０１は、操作部２０５を介してコンテンツリストを要求するための操作を受け付けない場合（ステップＳ４０２にてＮＯである場合）、ステップＳ４０２からの処理を繰り返す。
【０１５３】
一方、ＣＰＵ２０１は、操作部２０５を介してユーザからコンテンツリストを要求するための操作命令を受け付けた場合（ステップＳ４０２にてＹＥＳである場合）、無線通信インターフェイス２０３を用いて、液晶テレビ３００にコンテンツリストを要求するためのメッセージを送信する（ステップＳ４０４）。なお、コンテンツリストを要求する旨のメッセージは、ユーザ情報Ｄ１０２を含む。
【０１５４】
液晶テレビ３００のＣＰＵ３０１は、無線通信インターフェイス３０３を介して、電子手帳２００からコンテンツリストを要求するためのメッセージを受け付けたか否かを判断する（ステップＳ４０６）。ＣＰＵ３０１は電子手帳２００からコンテンツリストを要求するためのメッセージを受け付けない場合（ステップＳ４０６にてＮＯである場合）、ＣＰＵ３０１は、ステップＳ４０６からの処理を繰り返す。
【０１５５】
一方、ＣＰＵ３０１は、無線通信インターフェイス３０３を介して、電子手帳２００からコンテンツリストを要求するためのメッセージを受け付けた場合（ステップＳ４０６にてＹＥＳである場合）、インターネットインターフェイス３０２を用いて、コンテンツリストを要求するためのメッセージをコンテンツサーバ４００へと送信する（ステップＳ４０８）。当該メッセージは、ユーザ情報Ｄ１０２を含む。
【０１５６】
コンテンツサーバ４００のＣＰＵ４０１は、インターネットインターフェイス４０２を介して、液晶テレビ３００からコンテンツリストを要求するためのメッセージを受信したか否かを判断する（ステップＳ４１０）。ＣＰＵ４０１は、コンテンツリストを要求するためのメッセージを受信した場合（ステップＳ４１０にてＹＥＳである場合）、インターネットインターフェイス４０２を用いて、不揮発メモリ４０７から読出したコンテンツリストＤ１１８を液晶テレビ３００へと送信する（ステップＳ４１２）。一方、ＣＰＵ４０１は、コンテンツリストを要求するためのメッセージを受信しなかった場合（ステップＳ４１０にてＮＯである場合）、ステップＳ４２４からの処理を実行する。
【０１５７】
液晶テレビ３００のＣＰＵ３０１は、インターネットインターフェイス３０２を介してコンテンツサーバ４００から受信したコンテンツリストＤ１１８を、無線通信インターフェイス３０３を用いて電子手帳２００へと送信する（ステップＳ４１４）。
【０１５８】
電子手帳２００のＣＰＵ２０１は、無線通信インターフェイス２０３を介して、液晶テレビ３００からコンテンツリストＤ１１８を受信し、ディスプレイ２０４にコンテンツ情報を表示させる（ステップＳ４１６）。ＣＰＵ２０１は、操作部２０５を介して、ユーザからコンテンツを再生するための操作を受け付けたか否かを判断する（ステップＳ４１８）。
【０１５９】
ＣＰＵ２０１は、ユーザからコンテンツを再生するための操作命令を受け付けない場合（ステップＳ４１８にてＮＯである場合）、ステップＳ４１８からの処理を繰り返す。一方、ＣＰＵ２０１は、ユーザからコンテンツを再生するための操作命令を受け付けた場合
（ステップＳ４１８にてＹＥＳである場合）、無線通信インターフェイス２０３を介して、液晶テレビ３００へとコンテンツ要求情報Ｄ１２０を送信する（ステップＳ４２０）。
【０１６０】
液晶テレビ３００のＣＰＵ３０１は、無線通信インターフェイス３０３を介して電子手帳２００からコンテンツ要求情報Ｄ１２０を受信し、インターネットインターフェイス３０２を用いて当該コンテンツ要求情報Ｄ１２０をコンテンツサーバ４００へと送信する（ステップＳ４２２）。
【０１６１】
コンテンツサーバ４００のＣＰＵ４０１は、インターネットインターフェイス４０２を介して、液晶テレビ３００からコンテンツ要求情報Ｄ１２０を受信したか否かを判断する（ステップＳ４２４）。ＣＰＵ４０１は、液晶テレビ３００からコンテンツ要求情報Ｄ１２０を受信しない場合（ステップＳ４２４にてＮＯである場合）、ステップＳ４１０からの処理を繰り返す。
【０１６２】
一方、ＣＰＵ４０１は、液晶テレビ３００からコンテンツ要求情報Ｄ１２０を受信した場合（ステップＳ４２４にてＹＥＳである場合）、当該コンテンツ要求情報Ｄ１２０に対応する端末が、コンテンツの購入時に登録された端末であるか否かを判断する（ステップＳ４２６）。ＣＰＵ４０１は、コンテンツ要求情報Ｄ１２０に対応する端末がコンテンツの購入時に登録された端末でない場合（ステップＳ４２６にてＮＯである場合）、ステップＳ４１０からの処理を繰り返す。一方、ＣＰＵ４０１は、コンテンツ要求情報Ｄ１２０に対応する端末がコンテンツの購入時に登録された端末である場合（ステップＳ４２６にてＹＥＳである場合）、インターネットインターフェイス４０２を用いてコンテンツ要求情報Ｄ１２０に対応するコンテンツを液晶テレビ３００へと送信する（ステップＳ４２８）。
【０１６３】
液晶テレビ３００のＣＰＵ３０１は、インターネットインターフェイス３０２を介してコンテンツサーバ４００から受信したコンテンツを、無線通信インターフェイス３０３を介して、電子手帳２００へと送信する（ステップＳ４３０）。
【０１６４】
電子手帳２００のＣＰＵ２０１は、無線通信インターフェイス２０３を介して液晶テレビ３００からコンテンツを受信し、当該コンテンツをディスプレイ２０４に表示する（ステップＳ４３２）。ＣＰＵ２０１は、ステップＳ４１６からの処理を繰り返す。
【０１６５】
＜第３のコンテンツ再生処理＞
次に、ネットワークシステム１における第３のコンテンツ再生処理の処理手順について説明する。図２７Ａは、本実施の形態に係るネットワークシステム１における第３のコンテンツ再生処理の処理手順を示す第１のシーケンス図である。図２７Ｂは、本実施の形態に係るネットワークシステム１における第３のコンテンツ再生処理の処理手順を示す第２のシーケンス図である。ここでは、インターネット接続が不可能であり、かつユーザ情報の入力およびユーザ情報の保持が不可能な電子手帳がコンテンツを再生する際におけるコンテンツ再生処理の処理手順について説明する。
【０１６６】
図２７Ａを参照して、携帯電話１００および電子手帳２００および液晶テレビ３００は、互いにテレビ接続処理（ステップＳ２００）を実行する。
【０１６７】
次に、電子手帳２００のＣＰＵ２０１は、操作部２０５を介して、ユーザからコンテンツリストを要求するための操作命令を受け付けたか否かを判断する（ステップＳ５０２）。ＣＰＵ２０１は、ユーザからコンテンツリストを要求するための操作命令を受け付けない場合（ステップＳ５０２にてＮＯである場合）、ステップＳ５０２からの処理を繰り返す。一方、ＣＰＵ２０１は、ユーザからコンテンツリストを要求するための操作命令を受
け付けた場合（ステップＳ５０２にてＹＥＳである場合）、無線通信インターフェイス２０３を介して、液晶テレビ３００へとコンテンツリストを要求する（ステップＳ５０４）。
【０１６８】
液晶テレビ３００のＣＰＵ３０１は、無線通信インターフェイス３０３を介して電子手帳２００からコンテンツリストを要求するためのメッセージを受け付けたか否かを判断する（ステップＳ５０６）。ＣＰＵ３０１は、電子手帳２００からコンテンツリストを要求する旨のメッセージを受け付けない場合（ステップＳ５０６にてＮＯである場合）、ステップＳ５０６からの処理を繰り返す。一方、ＣＰＵ３０１は、電子手帳２００からコンテンツリストを要求する旨のメッセージを受信した場合（ステップＳ５０６にてＹＥＳである場合）、無線通信インターフェイス３０３を用いて、携帯電話１００へユーザ情報の送信を要求する（ステップＳ５０８）。
【０１６９】
携帯電話１００のＣＰＵ１０１は、無線通信インターフェイス１０３を介して液晶テレビ３００からユーザ情報の送信要求を受信したか否かを判断する（ステップＳ５１０）。ＣＰＵ１０１は、無線通信インターフェイス１０３を介して液晶テレビ３００からユーザ情報を送信する旨の要求を受信した場合（ステップＳ５１０にてＹＥＳである場合）、無線通信インターフェイス１０３を用いて、ユーザ情報Ｄ１０２を液晶テレビ３００へと送信する（ステップＳ５１２）。ＣＰＵ１０１は、ステップＳ５１０からの処理を繰り返す。一方、ＣＰＵ１０１は、無線通信インターフェイス１０３を介して液晶テレビ３００からユーザ情報を送信する旨の要求を受け付けなかった場合（ステップＳ５１０にてＮＯである場合）も、ステップＳ５１０からの処理を繰り返す。
【０１７０】
液晶テレビ３００のＣＰＵ３０１は、無線通信インターフェイス３０３を介して携帯電話１００からユーザ情報Ｄ１０２を受信したか否かを判断する（ステップＳ５１４）。ＣＰＵ３０１は、無線通信インターフェイス３０３を介して携帯電話１００からユーザ情報Ｄ１０２を受信しなかった場合（ステップＳ５１４にてＮＯである場合）、ステップＳ５０６からの処理を繰り返す。
【０１７１】
一方、ＣＰＵ３０１は、無線通信インターフェイス３０３を介して携帯電話１００からユーザ情報Ｄ１０２を受信した場合（ステップＳ５１４にてＹＥＳである場合）、インターネットインターフェイス３０２を介して、コンテンツリストを要求するためのメッセージをコンテンツサーバ４００へと送信する（ステップＳ５１６）。すなわち、液晶テレビ３００からのコンテンツリストを要求するためのメッセージは、ユーザ情報Ｄ１０２を含む。
【０１７２】
図２７Ｂを参照して、コンテンツサーバ４００のＣＰＵ４０１は、インターネットインターフェイス４０２を介して液晶テレビ３００からコンテンツリストを要求するためのメッセージを受信したか否かを判断する（ステップＳ５１８）。ＣＰＵ４０１は、インターネットインターフェイス４０２を介して液晶テレビ３００からコンテンツリストを要求する旨のメッセージを受信した場合（ステップＳ５１８にてＹＥＳである場合）、インターネットインターフェイス４０２を介して液晶テレビ３００へとコンテンツリストＤ１１８を送信する（ステップＳ５２０）。一方、ＣＰＵ４０１は、インターネットインターフェイス４０２を介して液晶テレビ３００からコンテンツリストを要求する旨のメッセージを受信しなかった場合（ステップＳ５１８にてＮＯである場合）、ステップＳ５３２からの処理を実行する。
【０１７３】
液晶テレビ３００のＣＰＵ３０１は、インターネットインターフェイス３０２を介してコンテンツサーバ４００から受信したコンテンツリストＤ１１８を、無線通信インターフェイス３０３を介して電子手帳２００へと送信する（ステップＳ５２２）。
【０１７４】
電子手帳２００のＣＰＵ２０１は、無線通信インターフェイス２０３を介して液晶テレビ３００からコンテンツリストＤ１１８を受信し、ディスプレイ２０４にコンテンツリストを表示する（ステップＳ５２４）。ＣＰＵ２０１は、操作部２０５を介してユーザからコンテンツを再生するための操作命令を受け付けたか否かを判断する（ステップＳ５２６）。ＣＰＵ２０１は、ユーザからコンテンツを再生するための操作命令を受け付けない場合（ステップＳ５２６にてＮＯである場合）、ステップＳ５２６の処理を繰り返す。一方、ＣＰＵ２０１は、ユーザからコンテンツを再生するための操作命令を受け付けた場合（ステップＳ５２６にてＹＥＳである場合）、無線通信インターフェイス２０３を介して第２のコンテンツ要求情報Ｄ１２２を液晶テレビ３００へと送信する（ステップＳ５２８）。
【０１７５】
図２８は、本実施の形態に係るユーザ情報を有さない端末（電子手帳２００）から送信される第２のコンテンツ要求情報Ｄ１２２のデータ構造を示すイメージ図である。図２８を参照して、第２のコンテンツ要求情報Ｄ１２２は、コンテンツＩＤと、端末ＩＤとを含む。このように、ユーザ情報を有さない電子手帳２００のＣＰＵ２０１は、無線通信インターフェイス２０３を介して、液晶テレビ３００へと第２のコンテンツ要求情報Ｄ１２２を送信する。
【０１７６】
図２７Ｂに戻って、液晶テレビ３００のＣＰＵ３０１は、無線通信インターフェイス３０３を介して、電子手帳２００から第２のコンテンツ要求情報Ｄ１２２を受信する。ＣＰＵ３０１は、予め携帯電話１００から受信していたユーザ情報Ｄ１０２と、今回電子手帳２００から受信した第２のコンテンツ要求情報Ｄ１２２とに基づいて、第１のコンテンツ要求情報Ｄ１２０を生成する。ＣＰＵ３０１は、ユーザ情報Ｄ１０２が含まれた第１のコンテンツ要求情報Ｄ１２０をインターネットインターフェイス３０２を介してコンテンツサーバ４００へと送信する（ステップＳ５３０）。
【０１７７】
コンテンツサーバ４００のＣＰＵ４０１は、インターネットインターフェイス４０２を介して、液晶テレビ３００から第１のコンテンツ要求情報Ｄ１２０を受信したか否かを判断する（ステップＳ５３２）。ＣＰＵ４０１は、インターネットインターフェイス４０２を介して液晶テレビ３００からコンテンツ要求情報Ｄ１２０を受信しなかった場合（ステップＳ５３２にてＮＯである場合）、ステップＳ５１８からの処理を繰り返す。
【０１７８】
一方、ＣＰＵ４０１は、インターネットインターフェイス４０２を介して液晶テレビ３００からコンテンツ要求情報Ｄ１２０を受信した場合（ステップＳ５３２にてＹＥＳである場合）、当該コンテンツ要求情報Ｄ１２０に対応する端末がコンテンツの購入時に登録された端末であるか否かを判断する（ステップＳ５３４）。
【０１７９】
ＣＰＵ４０１は、コンテンツ要求情報Ｄ１２０に対応する端末がコンテンツの購入時に登録された端末でない場合（ステップＳ５３４にてＮＯである場合）、ステップＳ５１８からの処理を繰り返す。一方、コンテンツ要求情報Ｄ１２０に対応する端末がコンテンツの購入時に登録された端末である場合（ステップＳ５３４にてＹＥＳである場合）、インターネットインターフェイス４０２を用いて、対象となるコンテンツを液晶テレビ３００へと送信する（ステップＳ５３６）。
【０１８０】
液晶テレビ３００のＣＰＵ３０１は、インターネットインターフェイス３０２を介してコンテンツサーバ４００からコンテンツを受信し、無線通信インターフェイス３０３を介して当該コンテンツを電子手帳２００へと送信する（ステップＳ５３８）。
【０１８１】
電子手帳２００のＣＰＵ２０１は、無線通信インターフェイス２０３を介して液晶テレ
ビ３００からコンテンツを受信し、当該コンテンツをディスプレイ２０４に表示する（ステップＳ５４０）。ＣＰＵ２０１は、ステップＳ５２４からの処理を繰り返す。
【０１８２】
＜その他の実施の形態＞
本発明は、システム或いは装置にプログラムを供給することによって達成される場合にも適用できることはいうまでもない。そして、本発明を達成するためのソフトウェアによって表されるプログラムを格納した外部メモリ１１１，２１１，４１１（不揮発メモリ１０７，２０７，３０７，４０７）を、システム或いは装置に供給し、そのシステム或いは装置のコンピュータ（又はＣＰＵやＭＰＵ）が外部メモリ１１１，２１１，４１１（不揮発メモリ１０７，２０７，３０７，４０７）に格納されたプログラムコードを読出し実行することによっても、本発明の効果を享受することが可能となる。
【０１８３】
この場合、外部メモリ１１１，２１１，４１１（不揮発メモリ１０７，２０７，３０７，４０７）から読出されたプログラムコード自体が前述した実施の形態の機能を実現することになり、そのプログラムコードを記憶した外部メモリ１１１，２１１，４１１（不揮発メモリ１０７，２０７，３０７，４０７あるいは揮発メモリ１０６，２０６，３０６，４０６）は本発明を構成することになる。
【０１８４】
また、コンピュータが読出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部または全部を行い、その処理によって前述した実施の形態の機能が実現される場合も含まれることは言うまでもない。
【０１８５】
さらに、外部メモリ１１１，２１１，４１１（不揮発メモリ１０７，２０７，３０７，４０７）から読み出されたプログラムコードが、コンピュータに挿入された機能拡張ボードやコンピュータに接続された機能拡張ユニットに備わる他の記録媒体に書き込まれた後、そのプログラムコードの指示に基づき、その機能拡張ボードや機能拡張ユニットに備わるＣＰＵなどが実際の処理の一部または全部を行い、その処理によって前述した実施の形態の機能が実現される場合も含まれることは言うまでもない。
【０１８６】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１８７】
１  ネットワークシステム、１００  携帯電話、１０２  電話通信インターフェイス、１０３  無線通信インターフェイス、１０４  ディスプレイ、１０５  操作部、１０６  揮発メモリ、１０７  不揮発メモリ、１０８  スピーカ、１０９  マイク、１１０  メモリインターフェイス、１１１  外部メモリ、２００  電子手帳、２０２  インターネットインターフェイス、２０３  無線通信インターフェイス、２０４  ディスプレイ、２０５
操作部、２０６  揮発メモリ、２０７  不揮発メモリ、２１０  メモリインターフェイス、２１１  外部メモリ、３００  液晶テレビ、３０２  インターネットインターフェイス、３０３  無線通信インターフェイス、３０４  ディスプレイ、３０５  操作部、３０６  揮発メモリ、３０７  不揮発メモリ、３０８  スピーカ、４００  コンテンツサーバ、４０２  インターネットインターフェイス、４０４  ディスプレイ、４０５  操作部、４０６  揮発メモリ、４０７  不揮発メモリ、４１０  メモリインターフェイス、４１１
外部メモリ、４１２  ハードディスク、５００  レコーダ、６００  インターネット網。
【図１】
2011066501.tif 000003
【図２】
2011066501.tif 000004
【図３】
2011066501.tif 000005
【図４】
2011066501.tif 000006
【図５】
2011066501.tif 000007
【図６Ａ】
2011066501.tif 000008
【図６Ｂ】
2011066501.tif 000009
【図７】
2011066501.tif 000010
【図８】
2011066501.tif 000011
【図９】
2011066501.tif 000012
【図１０】
2011066501.tif 000013
【図１１】
2011066501.tif 000014
【図１２】
2011066501.tif 000015
【図１３】
2011066501.tif 000016
【図１４】
2011066501.tif 000017
【図１５】
2011066501.tif 000018
【図１６】
2011066501.tif 000019
【図１７】
2011066501.tif 000020
【図１８】
2011066501.tif 000021
【図１９】
2011066501.tif 000022
【図２０】
2011066501.tif 000023
【図２１】
2011066501.tif 000024
【図２２】
2011066501.tif 000025
【図２３】
2011066501.tif 000026
【図２４】
2011066501.tif 000027
【図２５】
2011066501.tif 000028
【図２６】
2011066501.tif 000029
【図２７Ａ】
2011066501.tif 000030
【図２７Ｂ】
2011066501.tif 000031
【図２８】
2011066501.tif 000032